(57)【要約】  本発明は、ケーブルのセットとしてケーブルリールにおいて並列に数回の巻回で巻き付けられた少なくとも2本のケーブルで満たされる少なくとも1つのケーブルリールを備える、ケーブルを設置するためのシステムに関する。好ましい実施形態では、本発明によるシステムは、少なくとも1つのあらかじめ設置されたケーブル結束具を備え、並列な巻き付けられたケーブルは、少なくとも1つのあらかじめ設置されたケーブル結束具を用いてケーブルの長さの少なくとも一部に沿って相互に結合される。
2020520628.tif 000002
【特許請求の範囲】
【請求項１】
ケーブルを設置するためのシステムであって、
ケーブルのセットとしてケーブルリールにおいて並列に数回の巻回で巻き付けられた少なくとも2本のケーブルで満たされる少なくとも1つのケーブルリールを備えるシステム。
【請求項２】
並列な関係にある前記ケーブルのうちの少なくとも2本を相互に結合するように構成され、好ましくは前記ケーブル同士を短絡防止の方式において相互に結合するように構成される少なくとも1つのケーブル結束具を備える、請求項1に記載のシステム。
【請求項３】
前記少なくとも1つのケーブル結束具は、少なくとも1つのあらかじめ設置されたケーブル結束具を備え、
前記並列な巻き付けられたケーブル同士は、前記少なくとも1つのあらかじめ設置されたケーブル結束具を用いて前記ケーブルの長さの少なくとも一部に沿って相互に結合される、請求項2に記載のシステム。
【請求項４】
前記少なくとも1つのケーブル結束具は、複数のあらかじめ設置されたケーブル結束具を備え、
隣り合うあらかじめ設置されたケーブル結束具が前記ケーブルの長手方向において相互にずらされる、請求項3に記載のシステム。
【請求項５】
前記あらかじめ設置されたケーブル結束具は、並列の関係において前記ケーブルのうちの少なくとも2本を相互に結合するように構成され、前記あらかじめ設置されたケーブル結束具は、前記ケーブルの長手方向における前記あらかじめ設置されたケーブル結束具に対する前記ケーブルの並進が妨げられるように、前記あらかじめ設置されたケーブル結束具を前記ケーブルのうちの1本に結合するように構成される第1のケーブル結合器を備える、請求項3または4に記載のシステム。
【請求項６】
前記あらかじめ設置されたケーブル結束具は、前記ケーブルの長手方向における前記あらかじめ設置されたケーブル結束具に対する少なくとも1本の他のケーブルの並進が許容されるように、前記あらかじめ設置されたケーブル結束具を前記少なくとも1本の他のケーブルに結合するように構成される少なくとも1つの第2のケーブル結合器をさらに備える、請求項5に記載のシステム。
【請求項７】
前記第1のケーブル結合器は、前記ケーブルの中心長手方向軸の周りでの前記ケーブル結束具に対する前記ケーブルの回転が許容されるように、前記ケーブル結束具を前記ケーブルに結合するようにさらに構成される、請求項5または6に記載のシステム。
【請求項８】
前記第1のケーブル結合器は、
前記ケーブルにおいて締め付けられるように構成される締め付けブッシュと、
前記締め付けブッシュを収容するための、前記あらかじめ設置されたケーブル結束具のケーブル結束具本体における締め付けブッシュ収容部と
を備え、
前記締め付けブッシュおよび前記締め付けブッシュ収容部は、前記締め付けブッシュ収容部において、前記締め付けブッシュの中心長手方向軸の周りで、前記締め付けブッシュを回転させることができる嵌まり合う円筒面を有し、
前記締め付けブッシュおよび前記ケーブル結束具本体のうちの少なくとも一方は、前記締め付けブッシュおよび前記ケーブル結束具本体の他方のうちの少なくとも一部が延びる少なくとも部分的に周辺の溝を有する、請求項7に記載のシステム。
【請求項９】
前記少なくとも1つの第2の結合器は、前記ケーブルを収容するための好ましくは円筒形のケーブル収容部を備え、前記好ましくは円筒形のケーブル収容部はベンチュリ管の形とされ、好ましくは、低摩擦環体が前記ベンチュリ管の形とされたケーブル収容部の喉部に配置される、請求項5から9のいずれか一項に記載のシステム。
【請求項１０】
ケーブルの前記セットの各々のケーブルは、その両端において電気コネクタが設けられ、前記電気コネクタ同士は嵌まり合う、請求項1から9のいずれか一項に記載のシステム。
【請求項１１】
前記あらかじめ設置されたケーブル結束具は、並列での奇数のケーブルを相互に結合するように構成され、
前記あらかじめ設置されたケーブル結束具は、前記ケーブルの前記長手方向を横断するように延びる列で前記ケーブルを保持するように構成され、
中央のケーブルが、前記第1のケーブル結合器を用いて前記あらかじめ設置されたケーブル結束具に結合される、請求項5から10のいずれか一項に記載のシステム。
【請求項１２】
延長ケーブルのセットと、
延長ケーブルの前記セットを電気設備に電気的に接続するように構成されるコネクタケーブルの少なくとも1つのセットと
を備え、
前記コネクタケーブルの各々は、その一方の端において、前記電気設備への電気接続のために準備され、その他方の端において、2つの嵌まり合う電気コネクタのうちの一方が設けられ、
前記延長ケーブルの各々は、その一方の端において、2つの嵌まり合う電気コネクタのうちの他方が設けられる、請求項1から11のいずれか一項に記載のシステム。
【請求項１３】
前記延長ケーブルの各々は、その両端において電気コネクタが設けられ、前記電気コネクタは嵌まり合う電気コネクタである、請求項12に記載のシステム。
【請求項１４】
前記少なくとも1つのケーブルリールは、ケーブルリールにおいて巻き付けられたケーブルの前記セットが延長ケーブルの前記セットであるケーブルリールを備え、請求項12または13に記載のシステム。
【請求項１５】
前記少なくとも1つのケーブルリールは、ケーブルリールにおいて巻き付けられたケーブルの前記セットがコネクタケーブルの前記セットであるケーブルリールを備え、請求項12から14のいずれか一項に記載のシステム。
【請求項１６】
前記少なくとも1つのケーブル結束具は、ケーブルの前記セットの結合されていない部分同士を相互に結合するように構成される少なくとも1つの設置されていないケーブル結束具を備える、請求項2から15のいずれか一項に記載のシステム。
【請求項１７】
前記少なくとも1つのケーブル結束具は、固定された数のケーブルを並列で相互に結合するために設計された固定数ケーブル結束具を備える、請求項2から16のいずれか一項に記載のシステム。
【請求項１８】
前記固定数ケーブル結束具は2つの嵌まり合うケーブル結束具本体のセットを備え、前記嵌まり合うケーブル結束具本体のうちの少なくとも一方は、前記固定された数のケーブルのためのそれぞれのケーブル収容部を備え、前記ケーブル収容部は、前記嵌まり合うケーブル結束具本体の嵌まり合っていない状態において、前記ケーブルの前記長手方向を横断するように前記ケーブルを受け入れるように構成され、前記嵌まり合うケーブル結束具本体の嵌まり合った状態において、前記2つの嵌まり合うケーブル結束具本体のうちの一方の前記ケーブル収容部において受け入れられる前記ケーブルは、前記2つの嵌まり合うケーブル結束具本体のうちの他方を用いて前記ケーブル収容部において係止され、好ましくは、前記嵌まり合うケーブル結束具本体同士は相互係止する、請求項17に記載のシステム。
【請求項１９】
前記固定数ケーブル結束具は、前記ケーブルの中心軸が単一の平面において延びる状態で前記ケーブルを保持するように構成され、前記固定数ケーブル結束具は、前記ケーブル結束具本体の前記嵌まり合った状態において前記平面を越えて延びる前記嵌まり合うケーブル結束具本体のうちの少なくとも一方に配置される2つの端壁を備える、請求項18に記載のシステム。
【請求項２０】
前記嵌まり合うケーブル結束具本体同士は、前記嵌まり合った状態と前記嵌まり合っていない状態との間で一方が他方に対して回転可能となるようにヒンジを用いて接続され、前記ケーブル結束具本体は、前記嵌まり合うケーブル結束具本体の前記嵌まり合った状態において前記ケーブル結束具本体同士の一方を他方に留め付けるためのクイックファスナが好ましくは設けられる、請求項18または19に記載のシステム。
【請求項２１】
前記固定数ケーブル結束具は、
前記固定された数のケーブルのためのそれぞれの収容部が設けられる単一のケーブル結束具本体であって、前記収容部は、前記ケーブルの前記長手方向を横断するように前記ケーブルを受け入れるように構成される、単一のケーブル結束具本体と、
前記ケーブルを前記収容部において係止するように構成される係止部材であって、好ましくはストリップまたはストラップである係止部材と
を備え、
より好ましくは、前記係止部材はストリップであり、前記嵌まり合うケーブル結束具本体と前記ストリップとは、非係止状態と係止状態との間で一方が他方に対して回転可能となるようにヒンジを用いて接続され、前記ストリップと前記嵌まり合うケーブル結束具本体とは、前記係止状態において前記ケーブル結束具本体および前記ストリップの一方を他方に留め付けるためのクイックファスナが好ましくは設けられる、請求項17に記載のシステム。
【請求項２２】
前記少なくとも1つのケーブル結束具は、少なくとも1つのケーブルを収容するように構成されるケーブル結束具モジュールを備えるモジュール式ケーブル結束具を備える、請求項2から21のいずれか一項に記載のシステム。
【請求項２３】
各々のケーブル結束具モジュールは2つの嵌まり合うケーブル結束具本体のセットを備え、前記嵌まり合うケーブル結束具本体のうちの少なくとも一方は1本のケーブルのためのケーブル収容部を備え、前記ケーブル収容部は、前記嵌まり合うケーブル結束具本体の嵌まり合っていない状態において前記ケーブルの前記長手方向を横断するように前記ケーブルを受け入れるように構成され、前記嵌まり合うケーブル結束具本体の嵌まり合った状態において、前記2つの嵌まり合うケーブル結束具本体のうちの一方の前記収容部に受け入れられる前記ケーブルは、前記2つの嵌まり合うケーブル結束具本体のうちの他方を用いて前記収容部において係止される、請求項22に記載のシステム。
【請求項２４】
前記2つの嵌まり合うケーブル結束具本体は相互係止し、
好ましくは、
前記嵌まり合うケーブル結束具本体は、前記嵌まり合うケーブル結束具本体の前記嵌まり合った状態において並列な関係で嵌まり合い、前記嵌まり合うケーブル結束具本体の前記嵌まり合った状態において、前記収容部の両側を画定する側壁を各々備える、
または、
ケーブル結束具本体は、前記ケーブル結束具本体の前記嵌まり合った状態において嵌まり合う凸部および凹部のうちの一方を、前記収容部の相対する側に各々備える、請求項23に記載のシステム。
【請求項２５】
前記ケーブル結束具モジュールは列で配置されるように構成され、好ましくは、前記列において、前記ケーブル結束具モジュールの嵌まり合うケーブル結束具本体の前記セットは並列または直列に配置される、請求項23または24に記載のシステム。
【請求項２６】
前記ケーブル結束具モジュールの各々は少なくとも1つの貫通孔を有し、
前記ケーブル結束具モジュール同士が列で配置されるとき、前記ケーブル結束具モジュールの前記貫通孔は並べられ、
前記ケーブル結束具は、
並べられた前記貫通孔を通じて延び、前記ケーブル結束具モジュール同士を一緒に保持するように構成されるファスナを備え、
好ましくは、前記ケーブル結束具モジュールの各々は、前記ケーブル収容部の両側に好ましくは配置される少なくとも2つの貫通孔を有し、前記ファスナはU字形とされ、前記U字形の脚部は前記貫通孔を通じて配置されるように構成される、請求項25に記載のシステム。
【請求項２７】
前記モジュール式ケーブル結束具はストラップを備え、
前記ケーブル結束具モジュールは、前記ストラップを用いて一緒に締め付けられるように構成される、請求項25に記載のシステム。
【請求項２８】
並列な巻き付けられた主ケーブルの前記セットの一端に取り付けられるように構成されるケーブル引張装置であって、
前記少なくとも2本のケーブルのうちの1本に、前記ケーブルの一端において取り付けられるように構成されるケーブル取付部であって、好ましくはケーブルストッキングを備えるケーブル取付部と、
前記ケーブル取付部に取り付けられる前記ケーブルに配置されるように構成される、前記少なくとも1本の他のケーブルのためのそれぞれのケーブル係合部であって、前記ケーブル取付部に取り付けられる前記ケーブルの長さの一部に対しての、および、その長さの一部に沿っての、前記ケーブル係合部によって係合させられる前記ケーブルの端の前後への並進を許容する一方で、前記少なくとも1本の他のケーブルの端に係合するように構成されるケーブル係合部と
を備えるケーブル引張装置を備える、請求項1から27のいずれか一項に記載のシステム。
【請求項２９】
前記ケーブル係合部は、前記ケーブル係合部によって係合させられる前記ケーブルの端を受け入れるように構成される好ましくは柔軟である管またはスリーブを備える、請求項28に記載のシステム。
【請求項３０】
前記案内管またはスリーブは、前記ケーブルと同軸の関係で前記案内管またはスリーブに受け入れられる前記ケーブルの端と係合するように構成されるバネを中に配置しており、好ましくは前記バネはコイルバネであり、より好ましくは前記コイルバネはそのコイルにボールを配置しており、最も好ましくはスペーサが前記ボール同士の間においてコイルに配置される、請求項29に記載のシステム。
【請求項３１】
前記引張装置は、前記ケーブル取付部が取り付けられた前記ケーブルのケーブル外被に固定されるように、および、前記バネによって係合させられるように構成されるバネ係合部材を備え、好ましくは前記バネ係合部材は請求項3から11のいずれか一項において定められているようなあらかじめ設置されたケーブル結束具である、請求項30に記載のシステム。
【請求項３２】
ケーブルの前記セットが引っ張られるのに沿う経路に沿う場所に係留されるように構成され、前記ケーブルを前記経路に沿って引っ張るときに前記ケーブルを角の周りで案内するように構成されるケーブル案内部が設けられる角ケーブル案内構成を備え、好ましくは前記角案内部は曲げ案内管または傾いたケーブルトレイを備える、請求項1から31のいずれか一項に記載のシステム。
【請求項３３】
前記ケーブルは中電圧ケーブルまたは低電圧ケーブルである、請求項1から32のいずれか一項に記載のシステム。
【請求項３４】
前記ケーブルリールは、好ましくは自己推進車両の車両フレームである車両フレームに配置されるスピンドルに配置される、または、前記ケーブルリールは、静止フレームに配置されるスピンドルに配置され、好ましくは、前記車両フレームまたは前記静止フレームには、前記スピンドルによって定められる回転の軸の周りで前記ケーブルリールを回転させるための駆動部が設けられる、請求項1から33のいずれか一項に記載のシステム。
【請求項３５】
好ましくは一貫輸送コンテナであるコンテナに配置される、請求項1から34のいずれか一項に記載のシステム。
【請求項３６】
停電の間に配電網の変電所または変電所の失陥した構成要素を迂回するためのケーブルを設置するための、請求項1から35のいずれか一項に記載のシステムの使用。
【請求項３７】
一時的または半永久的に基づいて構成要素を電気的に接続するためのケーブルを設置するための、請求項1から35のいずれか一項に記載のシステムの使用。
【請求項３８】
ケーブルを設置するための方法であって、
請求項1から37のいずれか一項に記載のシステムを提供するステップと、
2つの電気設備の間の経路に沿って、ケーブルのセットとしてケーブルリールにおいて並列に数回の巻回で巻き付けられた前記ケーブルを配置するステップと、
前記ケーブルの各々の端を、電気的に接続される前記電気設備のそれぞれの1つに接続するステップと
を含む方法。
【請求項３９】
前記ケーブルを前記経路に沿って配置する前記ステップは、前記ケーブルリールが前記経路に沿って移動される間に前記ケーブルリールを巻き解くことによってである、請求項38に記載の方法。
【請求項４０】
前記ケーブルを前記経路に沿って配置する前記ステップは、前記ケーブルを前記経路に沿ってセットとして引っ張ることによって前記ケーブルリールを巻き解くことによってである、請求項39に記載の方法。
【請求項４１】
請求項5から11のいずれか一項に定められているケーブル結束具。
【請求項４２】
請求項17から25のいずれか一項に定められているケーブル結束具。
【請求項４３】
請求項28から31のいずれか一項に定められているケーブル引張装置。
【発明の詳細な説明】
【技術分野】
【０００１】
本発明は、ケーブルを設置するためのシステムに関し、詳細には、単芯電力ケーブルを設置するためのシステムに関する。本発明は、このようなシステムを使用して電力ケーブルを設置するための方法と、このようなシステムにおける使用のためのケーブル結束具とにさらに関する。
【０００２】
本発明は以後において単芯電力ケーブルに関連して記載されているが、本発明は他のケーブルにも適用可能であり、1本または複数本のケーブル(単芯電力ケーブルでも他のケーブルのいずれかである)が単一の柔軟な管状ケーブル包囲体において包囲されるシステムおよび方法にも適用可能である。ケーブル包囲体は最初にシステムまたは方法を用いて設置され、その後、包囲されたケーブルを形成するためにケーブルがケーブル包囲体へと挿入され得る。
【背景技術】
【０００３】
単芯電力ケーブルが、電気構成要素を相互接続するために電力網において使用されている。例えば、配電網では、単芯電力ケーブルは、一連の変電所を相互接続するために使用されている。1つまたは複数の変圧器と1つまたは複数の開閉装置建物とを典型的には備えるこのような変電所(配電所)の中では、単芯電力ケーブルは、例えば、変圧器を開閉装置建物に接続するために使用される。
【０００４】
配電所において失陥した開閉装置建物がある場合、影響された配電所を介して電気の供給されている居住用建物、産業用建物などについて、停電という結果になる。
【０００５】
居住用建物、産業用建物などへの電気の分配を回復させるために、失陥した開閉装置建物を修理されている間に失陥した開閉装置建物を一時的に置き換えるための1つまたは複数の移動式緊急開閉装置コンテナを提供することが知られている。移動式緊急開閉装置コンテナを介して電気の分配を回復するために、移動式緊急開閉装置コンテナを介して失陥した開閉装置建物を迂回する電気接続が設定される。電気の迂回を設定するために、一時的な単芯電力ケーブルが、変圧器を移動式緊急開閉装置コンテナに接続するために、および、可及的には(三芯ケーブルが使われていない場合には)移動式緊急開閉装置コンテナを配電所の外部電力ケーブルへと接続するために、設置される必要がある。一時的な単芯電力ケーブルを設置することは、移動式緊急開閉装置コンテナと共に個々のケーブルリールに巻き付けられて変電所へと運ばれる典型的には3本であるこれらのケーブルを、変圧器と移動式緊急開閉装置コンテナとの間の経路に沿って、および、移動式緊急開閉装置コンテナと、一時的な単芯電力ケーブルを変電所の外部ケーブルへと接続するのに適する場所との間の経路に沿って、配置することを含む。その後、一時的な単芯電力ケーブルの両端は、変圧器および移動式緊急開閉装置コンテナと、移動式緊急開閉装置コンテナおよび配電所の外部ケーブルとにそれぞれ接続される。最後に、一時的な単芯電力ケーブルを接続した後、停電によって影響された居住用建物、産業用建物などへの電気の分配が回復され得る。
【０００６】
迂回を設定するために一時的な単芯電力ケーブルを設置することは時間が掛かり、一方、電気の分配を回復するための時間は、停電の影響を抑えるためにできるだけ短くなければならない。
【発明の概要】
【発明が解決しようとする課題】
【０００７】
本発明は、ケーブルを、具体的には、単芯電力ケーブルを、より時間を掛けずに設置を行うことを、その目的の1つとして有している。
【課題を解決するための手段】
【０００８】
そのために、本発明は、ケーブルのセットとしてケーブルリールに並列に数回の巻回で巻き付けられた少なくとも2本のケーブルで満たされる少なくとも1つのケーブルリールを備える、ケーブルを設置するためのシステムを提供する。本発明によるシステムを使用するとき、単芯電力ケーブルのセットとしてケーブルリールにおいて並列に数回の巻回で巻き付けられた少なくとも2本の単芯電力ケーブルで満たされるケーブルリールは、巻き解す間にケーブルリールを経路に沿って移動させることで、または、少なくとも2本の単芯電力ケーブルをケーブルリールから単芯電力ケーブルのセットとして引っ張ることで、複数の単芯電力ケーブルを経路に沿って単芯電力ケーブルのセットとして速やかに配置することができる。これは、複数の単芯電力ケーブルを一度に1本で経路に沿って配置することに対して、複数の単芯電力ケーブルを設置するための時間を相当に短縮させることになる。
【０００９】
好ましくは、単芯電力ケーブルのセットとしてケーブルリールにおいて巻き付けられた少なくとも2本の単芯電力ケーブルは、それらの少なくとも一端においてであって、好ましくはそれらの両端において、電気接続のために準備される。これは、電力ケーブルのセットを用いて電気的に接続される必要がある電気構成要素に単芯電力ケーブルのセットを接続するための時間を短縮させることになる。好ましくは、電力ケーブルのそれぞれの端は、電気コネクタまたは終端が設けられることによって、電気接続のために準備される。代替または追加で、電力ケーブルのそれぞれの端は、例えば接続ジョイントを用いて、別の電力ケーブルに電気的に接続されるように準備される。
【００１０】
本発明によるシステムの有利な実施形態では、システムは、並列な関係にある電力ケーブルのうちの少なくとも2本を相互に結合するように構成される少なくとも1つのケーブル結束具を備える。少なくとも、接続される電気構成要素同士の間の経路に沿って単芯電力ケーブルを配置した後、少なくとも1つのケーブル結束具は、並列の電力ケーブル同士の一方を他方に対して位置決めすることと、一方の他方に対しての電力ケーブル同士の相対的な位置を維持することとを可能にする。好ましくは、少なくとも1つのケーブル結束具は、所定の距離によって相互に分離される電力ケーブルを保持するように構成される。並列に配置される単芯電力ケーブルは、使用中に互いに影響を与える。例えば、三相の電力網では、並列の単芯電力ケーブルの定格電流およびインダクタンスは、それらケーブル同士の間の相互の距離によってとりわけ影響される。ケーブル結束具を用いて所定距離で相互に分離される電力ケーブルを保持することができることは、並列な電力ケーブルの互いへの影響に対する制御を有利に提供する。本発明によるシステムの好ましい実施形態では、少なくとも1つのケーブル結束具は、ケーブルの外径の実質的に1倍に等しい所定距離で相互に分離される電力ケーブルを保持するように構成される。並列な単芯電力ケーブルの定格電流は、それらケーブル同士の間の相互距離を増加させるにつれて増加し、並列な単芯電力ケーブルのインダクタンスは、それらケーブル同士の間の相互距離を縮めるにつれて低下し、逆もまた然りである。ケーブルの外径の実質的に1倍に等しい所定距離で相互に分離される並列な単芯電力ケーブルを保持することで、並列な単芯電力ケーブルの定格電流とインダクタンスとの間の有利なバランスが達成される。しかしながら、システムが他の種類のケーブルのために使用される場合、ケーブル同士の間の相互の力は相当により小さいかまたは存在せず、ケーブル同士の間の距離は、コンパクトなシステムを提供するために、有利にはできるだけ小さくてもよい。
【００１１】
さらに、ケーブルシステムにおける短絡電流によって引き起こされ得るEM力に耐えるために、ケーブル結束具は、Dyneema(商標)などの強い繊維が提供された繊維強化プラスチック材料から好ましくは作られてもよく、その繊維は、好ましくは、少なくとも2本のケーブルに対して垂直な方向と実質的に並列に、少なくとも2本のケーブルの芯線を貫いて好ましくは延びる。好ましくは、繊維は、外側の2本のケーブルの間の距離より大きい長さを有する。
【００１２】
さらに、少なくとも1つのケーブル結束具は、電力ケーブル同士を短絡防止の方法において相互に結合するように好ましくは設計される。三相での短絡の場合における電気機械的な力のため、並列な単芯電力ケーブルは、横断方向において互いから離れるように爆発的に変位させられ得る。
【００１３】
電力ケーブル同士を短絡防止で相互に結合するための少なくとも1つのケーブル結束具を作ることで、つまり、三相での短絡の場合での電気機械的な力に耐えるように少なくとも1つのケーブル結束具を設計することで、三相での短絡の場合における電気機械的な力による横断方向での互いから離れる並列な電力ケーブルの爆発的な変位は防止され、それによって、複数の単芯電力ケーブルが並列になっている三相電力網の安全性を高めることになる。
【００１４】
好ましくは、少なくとも1つのケーブル結束具は、ケーブルの長手方向に対して横断して延びる列で電力ケーブルを保持するように構成され、より好ましくは、少なくとも1つのケーブル結束具は電力ケーブルを単一の平面において保持するように構成される。
【００１５】
本発明によるシステムの好ましい実施形態では、少なくとも1つのケーブル結束具は、少なくとも1つのあらかじめ設置されたケーブル結束具を備え、並列な巻き付けられた電力ケーブルは、少なくとも1つのあらかじめ設置されたケーブル結束具を用いて電力ケーブルの長さの少なくとも一部に沿って相互に結合される。電力ケーブルの長さの少なくとも一部に沿ってケーブルリールにおいて並列に数回の巻回で巻き付けられた単芯電力ケーブルのセットにおいてあらかじめ設置された少なくとも1つのケーブル結束具を有することで、相互に結合された複数の単芯電力ケーブルのセットを経路に沿って速やかに配置することは、巻き解す間にケーブルリールを経路に沿って移動させることで、または、相互に結合された複数の単芯電力ケーブルをケーブルリールから引っ張ることで、有利に可能である。これは、複数の単芯電力ケーブルがケーブルの長さの少なくとも一部に沿って相互に結合されることになる複数の単芯電力ケーブルを経路に沿って並列な関係で配置するための時間を、相当に短縮する。具体的には、複数の単芯電力ケーブルが一度に1本で経路に沿って配置され、例えば、地面に溝を掘り、電力ケーブルをそれぞれの溝に配置することによって、単芯電力ケーブル同士の一方の他方に対する位置が設定されて保持される、本明細書で先に詳述したような単芯電力ケーブルを設置するための知られている方法の典型的な実施形態に対して、設置時間の相当の短縮が達成される。好ましくは、各々のあらかじめ設置されたケーブル結束具は、ケーブルリールに巻き付けられた電力ケーブルのセットのすべての電力ケーブルを一緒に結束する。代替で、各々のあらかじめ設置されたケーブル結束具は、ケーブルリールに巻き付けられた電力ケーブルのセットのサブセットを一緒に結束し、好ましくは、電力ケーブルのセットの異なるサブセットが、交互のパターンに従って一緒に結束される。一部のあらかじめ設置されたケーブル結束具が、ケーブルリールに巻き付けられた電力ケーブルのセットのすべての電力ケーブルを一緒に結束し、他のあらかじめ設置されたケーブル結束具が、電力ケーブルのセットの異なるサブセットを一緒に結束することも可能である。
【００１６】
少なくとも1つのあらかじめ設置されたケーブル結束具を備える本発明によるシステムの好ましい実施形態では、システムは、複数のあらかじめ設置されたケーブル結束具を備え、隣り合うあらかじめ設置されたケーブル結束具が電力ケーブルの長手方向において相互にずらされる。好ましくは、あらかじめ設置されたケーブル結束具は、隣接する巻回のあらかじめ設置されたケーブル結束具が重ならないように電力ケーブルの長さの一部に沿って分配される。さらなる好ましい実施形態では、隣り合うあらかじめ設置されたケーブル結束具の間での電力ケーブルの長さに沿ってのずれの距離は、ずれの距離に沿って、電力ケーブルの剛性が所定の距離によって相互に分離されるケーブルを維持するのに適するようになっている。隣り合うあらかじめ設置されたケーブル結束具の間のずれ距離がより大きくなると、あらかじめ設置されたケーブル結束具は、短絡防止となるために、つまり、短絡と関連する力に耐えることができるようにするために、より頑丈である必要があることに留意されたい。典型的には、あらかじめ設置されたケーブル結束具がより頑丈であれば、その寸法はより大きくなる(所与の材料品質について)。あらかじめ設置されたケーブル結束具の寸法がより大きくなると、各々の巻回の高さがより大きくなり、より少ない巻回しかケーブルリールに嵌まらなくなる。より少ない巻回しか嵌まらないことを考慮すると、ケーブルリールにできるだけ多くの巻回を嵌めようとするとき、電力ケーブルの長さに沿って、隣り合うあらかじめ設置されたケーブル結束具の間で、より大きいずれ距離ではなくより小さいずれ距離を選択することになる。
【００１７】
少なくとも1つのあらかじめ設置されたケーブル結束具を備える本発明によるシステムのさらに有利な実施形態では、あらかじめ設置されたケーブル結束具は、並列の関係においてケーブルのうちの少なくとも2本を相互に結合するように構成され、あらかじめ設置されたケーブル結束具は、電力ケーブルの長手方向におけるあらかじめ設置されたケーブル結束具に対するこの電力ケーブルの並進が妨げられるように、あらかじめ設置されたケーブル結束具を電力ケーブルのうちの1本に結合するように構成される第1のケーブル結合器を備える。第1の結合器は、あらかじめ設置されたケーブル結束具が電力ケーブルの長さに沿ってのその選択された位置において維持されることを有利に確保する。好ましくは、あらかじめ設置されたケーブル結束具は、電力ケーブルの長手方向におけるあらかじめ設置されたケーブル結束具に対する少なくとも1本の他の電力ケーブルの並進が許容されるように、あらかじめ設置されたケーブル結束具を少なくとも1本の他の電力ケーブルに結合するように構成される少なくとも1つの第2のケーブル結合器をさらに備える。これによって、電力ケーブルが配置されるのに沿う経路が、同じ湾曲内におけるケーブル同士の間で異なる曲げ半径を伴う1つまたは複数の湾曲を有する場合に、電力ケーブルのそれぞれの経路の長さにおける差異を補うために、電力ケーブル同士は、なおも相互に結合されている一方で、電力ケーブルの長手方向において一方が他方に対して並進することができる。
【００１８】
少なくとも1つのあらかじめ設置されたケーブル結束具を備える本発明によるシステムのさらに有利な実施形態では、第1のケーブル結合器は、電力ケーブルの中心長手方向軸の周りでのケーブル結束具に対するケーブルの回転が許容されるように、ケーブル結束具を前記電力ケーブルに結合するようにさらに構成される。これは、電力ケーブルの中心長手方向軸の周りで異なる角度の方向付けを有するために、前記電力ケーブルの長さに沿う異なる場所においての第1の結合器を用いて同じ電力ケーブルに結合されるあらかじめ設置されたケーブル結束具を可能にする。これは、電力ケーブルの長さに沿う異なる場所においてのあらかじめ設置されたケーブル結束具の第1の結合器を用いて結合される電力ケーブルを捩じれに曝すことを有利に防止する。
【００１９】
少なくとも1つのあらかじめ設置されたケーブル結束具と、回転を可能にする第1のケーブル結合器とを備える本発明によるシステムの好ましい実施形態では、第1のケーブル結合器は、ケーブルにおいて締め付けられるように構成され、あらかじめ設置されたケーブル結束具のケーブル結束具本体において、締め付けブッシュの中心長手方向軸の周りで、ケーブルを完全または部分的に回転させることができる締め付けブッシュを備える。好ましくは、第1のケーブル結合器は、あらかじめ設置されたケーブル結束具のケーブル結束具本体において、締め付けブッシュを収容するための締め付けブッシュ収容部を備え、締め付けブッシュおよび締め付けブッシュ収容部は、締め付けブッシュ収容部において、締め付けブッシュの中心長手方向軸の周りで、締め付けブッシュを回転させることができる嵌まり合う円筒面を有し、締め付けブッシュおよびケーブル結束具本体のうちの少なくとも一方は、締め付けブッシュおよびケーブル結束具本体のうちの他方の少なくとも一部が延びる少なくとも部分的に周辺の溝を有する。
【００２０】
あらかじめ設置されたケーブル結束具およびあらかじめ設置されたケーブル結束具に対するケーブルのうちの少なくとも他の1本の並進を許容する第2の結合器に対するケーブルのうちの1本の並進を妨げる第1の結合器を有する、本明細書において先に記載されているような本発明によるシステムのさらに有利な実施形態では、少なくとも1つの第2の結合器は、ケーブルを収容するための好ましくは円筒形のケーブル収容部を備え、好ましくは円筒形のケーブル収容部は好ましくはベンチュリ管の形とされる。これは、電力ケーブルを、あらかじめ設置されたケーブル結束具に対して電力ケーブルの長さに沿って並進する間、妨げられることなくケーブル収容部に対してある角度まで傾けさせることができる。また、あらかじめ設置されたケーブル結束具に対する電力ケーブルの長さに沿っての電力ケーブルの並進を容易にするために、低摩擦環体がベンチュリ管の形とされたケーブル収容部の喉部に配置されてもよい。
【００２１】
あらかじめ設置されたケーブル結束具に対するケーブルのうちの1本の並進を妨げる第1の結合器を有する、本明細書において先に記載されているような本発明によるシステムのさらに有利な実施形態では、あらかじめ設置されたケーブル結束具は、並列での奇数のケーブルを相互に結合するように構成され、あらかじめ設置されたケーブル結束具は、ケーブルの長手方向を横断するように延びる列でケーブルを保持するように構成され、並列での奇数のケーブルのうちの中央のケーブルが、第1のケーブル結合器を用いてあらかじめ設置されたケーブル結束具に結合される。
【００２２】
本発明によるシステムの好ましい実施形態では、単芯電力ケーブルのセットの各々のケーブルは、その両端において電気コネクタが設けられ、電気コネクタ同士は嵌まり合う。この特徴は、単芯電力ケーブルの2つの対応するセットを直列の接続で接続することを可能にする。代替で、コネクタ同士は嵌まり合わず、これは、単芯電力ケーブルの2つの対応するセットを直列の接続で接続するための追加の接続ジョイントの使用を必要とする。
【００２３】
本発明によるシステムの有利な実施形態では、システムは、単芯延長電力ケーブルのセットと、延長電力ケーブルのセットを電気設備に電気的に接続するように構成される単芯コネクタ電力ケーブルの少なくとも1つのセットとを備える。有利な実施形態では、コネクタ電力ケーブルの各々は、その一方の端において、電気設備への電気接続のために準備され、その他方の端において、2つの嵌まり合う電気コネクタの一方が設けられ、延長電力ケーブルの各々は、その一方の端において、2つの嵌まり合う電気コネクタの他方が設けられる。代替で、コネクタケーブルの電気コネクタと延長ケーブルの電気コネクタとは嵌まり合わない電気コネクタであり、システムは、コネクタケーブルの電気コネクタを延長ケーブルの電気コネクタに接続するための追加の接続ジョイントを備える。
【００２４】
単芯延長電力ケーブルと単芯コネクタ電力ケーブルとを有する本発明によるシステムの有利な実施形態では、少なくとも1つのケーブルリールは、ケーブルリールに巻き付けられる単芯電力ケーブルのセットが単芯延長電力ケーブルのセットであるケーブルリールを備える。代替または追加で、少なくとも1つのケーブルリールは、ケーブルリールに巻き付けられる単芯電力ケーブルのセットが単芯コネクタ電力ケーブルのセットであるケーブルリールを備える。
【００２５】
少なくとも1つのケーブル結束具を有する、本明細書において先に記載されているような本発明によるシステムのさらなる有利な実施形態では、少なくとも1つのケーブル結束具は、ケーブルのセットの結合されていない部分同士を相互に結合するように構成される少なくとも1つの設置されていないケーブル結束具を備える。
【００２６】
少なくとも1つのケーブル結束具を有する、本明細書において先に記載されているような本発明によるシステムのさらなる有利な実施形態では、少なくとも1つのケーブル結束具は、固定された数のケーブルを並列で相互に結合するために設計された固定数ケーブル結束具を備える。
【００２７】
好ましい実施形態では、固定数ケーブル結束具は2つの嵌まり合うケーブル結束具本体のセットを備え、嵌まり合うケーブル結束具本体のうちの少なくとも一方は、固定された数のケーブルのためのそれぞれのケーブル収容部を備え、ケーブル収容部は、嵌まり合うケーブル結束具本体の嵌まり合っていない状態において、ケーブルの長手方向を横断するようにケーブルを受け入れるように構成され、嵌まり合うケーブル結束具本体の嵌まり合った状態において、2つの嵌まり合うケーブル結束具本体の一方のケーブル収容部において受け入れられるケーブルは、2つの嵌まり合うケーブル結束具本体の他方を用いてケーブル収容部において係止される。好ましくは、嵌まり合うケーブル結束具本体同士は相互係止する。さらに、嵌まり合うケーブル結束具本体同士は好ましくは同一である。
【００２８】
2つの嵌まり合うケーブル結束具本体のセットを有する固定数ケーブル結束具を備える、本明細書において先に記載されている本発明によるシステムの有利な実施形態では、固定数ケーブル結束具は、ケーブルの中心軸が単一の平面において延びる状態でケーブルを保持するように構成され、固定数ケーブル結束具は、ケーブル結束具本体の嵌まり合った状態において前記平面を越えて延びる嵌まり合うケーブル結束具本体のうちの少なくとも一方に配置される2つの端壁を備える。
【００２９】
2つの嵌まり合うケーブル結束具本体のセットを有する固定数ケーブル結束具を備える、本明細書において先に記載されている本発明によるシステムのさらに有利な実施形態では、嵌まり合うケーブル結束具本体同士は、嵌まり合った状態と嵌まり合っていない状態との間で一方が他方に対して回転可能となるようにヒンジを用いて接続される。好ましい実施形態では、ケーブル結束具本体は、嵌まり合うケーブル結束具本体の嵌まり合った状態においてケーブル結束具本体同士の一方を他方に留め付けるためのクイックファスナが設けられる。代替で、ヒンジの代わりに、第2のクイックファスナが、ケーブル結束具本体同士の一方を他方に留め付けるために使用されてもよい。
【００３０】
固定数ケーブル結束具を備える、本明細書において先に記載されている本発明によるシステムの有利な代替の実施形態では、固定数ケーブル結束具は、固定された数のケーブルのためのそれぞれの収容部が設けられる単一のケーブル結束具本体であって、収容部は、ケーブルの長手方向を横断するようにケーブルを受け入れるように構成される、単一のケーブル結束具本体と、電力ケーブルを収容部において係止するように構成される係止部材であって、好ましくはストリップまたはストラップである係止部材とを備える。好ましい実施形態では、係止部材はストリップであり、嵌まり合うケーブル結束具本体とストリップとは、非係止状態と係止状態との間で一方が他方に対して回転可能となるようにヒンジを用いて接続され、ストリップと嵌まり合うケーブル結束具本体とは、係止状態においてケーブル結束具本体およびストリップの一方を他方に留め付けるためのクイックファスナが好ましくは設けられる。代替で、ヒンジの代わりに、第2のクイックファスナが、ケーブル結束具本体および係止するストリップの係止状態において、係止するストリップをケーブル結束具本体に留め付けるために使用されてもよい。
【００３１】
固定数ケーブル結束具の代替または追加として、本発明によるシステムの有利な実施形態の少なくとも1つのケーブル結束具は、少なくとも1つのケーブルを収容するように構成されるケーブル結束具モジュールを備えるモジュール式ケーブル結束具を備える。このようなモジュール式ケーブル結束具は、必要とされる数のケーブル結束具モジュールを提供し、モジュール式ケーブル結束具を提供するためにこれらのケーブル結束具モジュールを組み立てることで、任意の数のケーブルを一緒に結束するためのケーブル結束具を提供することを有利に可能にする。好ましい実施形態では、各々のケーブル結束具モジュールは2つの嵌まり合うケーブル結束具本体のセットを備え、嵌まり合うケーブル結束具本体のうちの少なくとも一方は1本の電力ケーブルのためのケーブル収容部を備え、ケーブル収容部は、嵌まり合うケーブル結束具本体の嵌まり合っていない状態において電力ケーブルの長手方向を横断するように電力ケーブルを受け入れるように構成され、嵌まり合うケーブル結束具本体の嵌まり合った状態において、2つの嵌まり合うケーブル結束具本体の一方の収容部に受け入れられる電力ケーブルは、2つの嵌まり合うケーブル結束具本体の他方を用いて収容部において係止される。好ましくは、2つの嵌まり合うケーブル結束具本体は同一である。有利な実施形態では、2つの嵌まり合うケーブル結束具本体は相互係止し、好ましくは、嵌まり合うケーブル結束具本体は、嵌まり合うケーブル結束具本体の嵌まり合った状態において並列な関係で嵌まり合い、嵌まり合うケーブル結束具本体の嵌まり合った状態において、収容部の両側を画定する側壁を各々備える。代替で、ケーブル結束具本体は、ケーブル結束具本体の嵌まり合った状態において嵌まり合う凸部および凹部のうちの一方を、収容部の相対する側に各々備える。相互係止する嵌まり合うケーブル結束具本体を提供することは、嵌まり合うケーブル結束具本体同士を並べるのを容易にする。さらに、相互係止する嵌まり合うケーブル結束具本体を提供することは、相互係止する嵌まり合うケーブル結束具本体の係止方向においてケーブル結束具本体同士を離すように押す力に抗するケーブル結束具の抵抗に寄与する。
【００３２】
2つの嵌まり合うケーブル結束具本体のセットを各々備えるケーブル結束具モジュールを備える少なくとも1つのモジュール式ケーブル結束具を有する、本発明によるシステムの有利な実施形態では、ケーブル結束具モジュールは列で配置されるように構成される。前記列では、2つの嵌まり合うケーブル結束具本体のセットは、並列で配置でき、つまり、第1の列における2つの嵌まり合うケーブル結束具本体の各々のセットの第1のものと、第1の列と並列な第2の列における2つの嵌まり合うケーブル結束具本体の各々のセットの第2のものとを伴って配置できる。代替で、ケーブル結束具モジュールの嵌まり合うケーブル結束具本体のセットは、直列で配置されてもよく、つまり、ケーブル結束具モジュールのケーブル結束具本体のセットのすべてのケーブル結束具本体を単一の列で伴って配置されてもよい。
【００３３】
列で配置されるケーブル結束具モジュールを備える少なくとも1つのモジュール式ケーブル結束具を有する、本明細書において記載されている本発明によるシステムの有利な実施形態では、ケーブル結束具モジュールの各々は少なくとも1つの貫通孔を有し、ケーブル結束具モジュール同士が列で配置されるとき、ケーブル結束具モジュールの貫通孔は並べられ、ケーブル結束具は、並べられた貫通孔を通じて延び、ケーブル結束具モジュール同士を一緒に保持するように構成されるファスナを備える。好ましい実施形態では、ケーブル結束具モジュールの各々は、ケーブル収容部の両側に好ましくは配置される少なくとも2つの貫通孔を有し、ファスナはU字形とされ、そのU字形の脚部は貫通孔を通じて配置されるように構成される。ケーブル結束具本体の並べられた貫通孔を通じて延びる1つまたは複数のファスナは、ケーブル結束具モジュールを一緒に結ぶための効果的な手段を提供する。代替の実施形態では、モジュール式ケーブル結束具はストラップを備え、ケーブル結束具モジュールは、このストラップを用いて一緒に締め付けられるように構成される。
【００３４】
本発明によるシステムの少なくとも1つのケーブルリールにおいて巻き付けられた電力ケーブルのセットは、電気的に接続される電気構成要素同士および/または電気設備同士の間の経路に沿ってケーブルリールの電力ケーブルのセットを引っ張ることで、その経路に沿って配置され得る。
【００３５】
ケーブルリールの電力ケーブルのセットの経路に沿っての引っ張りを容易にするために、本発明によるシステムの有利な実施形態は、並列な巻かれたケーブルのセットの一端に取り付けられるように構成されるケーブル引張装置を備える。好ましくは、ケーブル引張装置は、少なくとも2本の電力ケーブルのうちの1本に、電力ケーブルの一端において取り付けられるように構成されるケーブル取付部であって、好ましくはケーブルストッキングを備えるケーブル取付部を備える。ケーブル取付部に加えて、ケーブル引張装置は、ケーブル取付部に取り付けられる電力ケーブルに配置されるように構成される、少なくとも1本の他の電力ケーブルのためのそれぞれのケーブル係合部であって、ケーブル係合部は、ケーブル取付部に取り付けられる電力ケーブルの長さの一部に対しての、および、その長さの一部に沿っての、ケーブル係合部によって係合させられる電力ケーブルの端の前後への並進を許容する一方で、少なくとも1本の他の電力ケーブルの端に係合するように構成され、他の電力ケーブルの端は、それ自体に配置されるコネクタまたは終端を好ましくは有する。この好ましいケーブル引張装置では、電力ケーブルのセットの1つまたは複数の係合させられた電力ケーブルは、電力ケーブルが沿って配置される経路が湾曲を有する場合に、取り付けられた電力ケーブルに対する係合させられた電力ケーブルのそれぞれの経路の長さにおける差異を補うために、特定の距離にわたって、取り付けられた電力ケーブルに対して並進するように許容される。好ましい実施形態では、ケーブル係合部は、ケーブル係合部によって係合させられる電力ケーブルの端を受け入れるように構成される好ましくは柔軟である管またはスリーブを備える。好ましくは、案内管またはスリーブは、電力ケーブルと同軸の関係で案内管またはスリーブに受け入れられる電力ケーブルの端と係合するように構成される好ましくはコイルバネであるバネを中に配置している。バネがコイルバネである、本発明によるシステムの有利な実施形態では、コイルバネは、そのコイルにボールを配置しており、好ましくはスペーサがボール同士の間においてコイルに配置される。コイルに配置されたボールは、実質的に同じ大きさのものであり、電力ケーブルの端と、電力ケーブルの端が並進するように許容されるのに沿う管またはスリーブの内面との間の空間を実質的に埋めることができる。電力ケーブルの端と管またはスリーブの内面との間の空間を実質的に埋めることで、管またはスリーブにおいて、好ましくはコネクタまたは終端が配置されている電力ケーブルの端の傾きが低減され得る。好ましくは、ボールは、それぞれのコイルが通って延びる孔を有する。ボール同士の間の任意選択のスペーサが、ボール同士の間でコイルに配置されるより小さいボールまたはコイルバネであってもよい。
【００３６】
バネが配置されている管またはスリーブを備えるケーブル係合部を備える引張装置を備える本発明によるシステムの有利な実施形態では、引張装置は、ケーブル取付部が取り付けられたケーブルに固定されるように、および、バネの一方の側によって係合させられるように構成される第1のバネ係合部材を備える。好ましくは、バネ係合部材は、本明細書において先に記載されている本発明によるシステムの実施形態において定められているようなあらかじめ設置されたケーブル結束具である。任意選択で、第2のバネ係合部材が、係合された電力ケーブルの端におけるコネクタまたは終端とバネの他方の側との間で固定されるように構成される。
【００３７】
ケーブルリールの電力ケーブルのセットを経路に沿って引っ張ることを容易にするために、本発明によるシステムの有利な実施形態は、電力ケーブルのセットが引っ張られるのに沿う経路に沿う場所に係留されるように構成され、電力ケーブルのセットを経路に沿って引っ張るときに電力ケーブルのセットを角の周りで案内するように構成されるケーブル案内部が設けられる角ケーブル案内構成をさらに備える。好ましくは、ケーブル案内部は曲げ案内管または傾いたケーブルトレイを備える。曲げ案内管および傾いたケーブルトレイは、あらかじめ設置されたケーブル結束具を備える本発明によるシステムの実施形態において特に有利である。曲げ案内管および傾いたケーブルトレイは、あらかじめ設置されたケーブル結束具を角において傾けさせることができ、それによって、角における電力ケーブルのそれぞれの経路の長さにおける差異を補うことに寄与する。
【００３８】
本発明によるシステムの単芯電力ケーブルは、具体的には、中電圧単芯電力ケーブルまたは低電圧単芯電力ケーブルである。
【００３９】
本発明によるシステムの有利な実施形態では、少なくとも1つのケーブルリールは、好ましくは自己推進車両の車両フレームである車両フレームに配置されるスピンドルに配置される、または、ケーブルリールは、静止フレームに配置されるスピンドルに配置される。好ましくは自己推進車両の車両フレームである車両フレームに配置されるスピンドルに配置されることで、ケーブルのセットを経路に沿って引っ張ることと、ケーブルのセットを巻き解す間にケーブルリールを経路に沿って移動させることとを可能にする。静止フレームに配置されるスピンドルに配置されることは、ケーブルのセットを経路に沿って引っ張ることを可能にする。好ましい実施形態では、車両フレームまたは静止フレームには、スピンドルによって定められる回転の軸の周りでケーブルリールを回転させるための駆動部が設けられる。このような駆動部は、使用後にケーブルのセットをケーブルリールに再び巻き付けることを可能にする。1つのケーブルリールが、少なくとも2本のケーブルの1つのセットを設置するためにスピンドルに配置され得る。代替で、システムは、少なくとも2本のケーブルで各々が満たされた複数のケーブルリールを備えてもよく、ケーブルリールは1つのスピンドルに配置される。これは、ケーブルの複数のセットを経路に沿って一度に配置することを可能にする。代替で、ケーブルの複数のセットを経路に沿って一度に配置するために、少なくとも2本のケーブルで各々が満たされた複数の区画室を伴う1つのケーブルリールが、単芯電力ケーブルの複数のセットを設置するためにスピンドルに配置されてもよい。これは、ケーブルの複数のセットを経路に沿って一度に配置することを可能にする。
【００４０】
本発明によるシステムの有利な実施形態では、システムは、好ましくは一貫輸送コンテナであるコンテナに配置される。
【００４１】
本明細書において先に記載されているように、本発明によるシステムの実施形態は、停電の間に電力網の変電所を全体または一部で迂回するための電力ケーブルを設置するために有利に使用される。代替で、本発明によるシステムの実施形態は、一時的または半永久的に基づいて構成要素を電気的に接続するための電力ケーブルを設置するために有利に使用される。例えば、電力ケーブルのセットは、港湾において一時的に係留される船のための海岸電力接続で有利に使用され得る。電力ケーブルのセットは、例えば、現場の電気構成要素および/または電気設備を、他の電気構成要素および/もしくは電気設備または電力網に電気的に接続するためにといった、一時的または半永久的な発電現場において有利に使用されてもよい。例えば、電力ケーブルのセットは、移動式発電機セットを電気設備に電気的に接続するために使用されてもよい。
【００４２】
本発明は、本明細書において先に記載されているような本発明によるシステムの実施形態を提供するステップと、2つの電気構成要素または電気設備の間の経路に沿って、電力ケーブルのセットとしてケーブルリールにおいて並列に数回の巻回で巻き付けられたケーブルを配置するステップとを含む、ケーブルを設置する方法にさらに関する。有利な実施形態では、ケーブルを経路に沿って配置するステップは、ケーブルリールが経路に沿って移動される間にケーブルリールを巻き解くことによってである。代替で、ケーブルを経路に沿って配置するステップは、ケーブルを経路に沿ってセットとして引っ張ることによってケーブルリールを巻き解くことによってである。
【００４３】
本発明は、本発明によるシステムにおける使用のためのケーブル結束具にさらに関し、そのケーブル結束具は、本発明によるシステムの実施形態の記載において、本明細書で先に記載されている。具体的には、本発明は、あらかじめ設置されたケーブル結束具として本明細書において先に記載されているケーブル結束具に関する。
【００４４】
本発明は、具体的にはケーブル結束具にも関し、そのケーブル結束具は、固定された数のケーブルのためのそれぞれの収容部が設けられるケーブル結束具本体であって、収容部は、ケーブルの長手方向を横断するようにケーブルを受け入れるように構成される、ケーブル結束具本体と、ケーブルを収容部において係止するように構成される係止部材であって、好ましくはストラップである係止部材とを備える。空中で自由に吊り下げるときにケーブル結束具が下向きに滑るのを防止するために、好ましくは、ヒートンがケーブル結束具を引っ掛けるためにケーブル収容部同士の間に設けられる。好ましくは、ケーブル結束具本体は細長い主本体部品を備え、少なくとも2つの分割壁が、前記主本体部品の外側端からある距離において、主本体部品に対して実質的に垂直に、前記主本体部品の一方の側から延び、前記ケーブル収容部のうちの少なくとも1つは、前記少なくとも2つの分割壁の隣接する対と、分割壁の前記対の間で延びる主本体部品の部分とによって形成され、前記ケーブル収容部のうちの2つは、前記少なくとも2つの分割壁のうちの1つと、前記主本体部品の隣接する外端とによって各々形成される。好ましくは、主本体部品は、係止部材が収容部においてケーブルを係止しているときにケーブルが所定の位置で固定されるように、前記分割壁に隣接する斜めまたは湾曲の壁部品が設けられる。好ましくは、係止部材は、ケーブルがケーブル収容部に存在する間に主本体部品および分割壁の周りに巻き付けられるストラップである。好ましくは、ケーブル結束具本体の主本体部品の上側は、ストラップの横移動を防止するために、直立する側方の隆条部の形態であり得るストラップ案内手段が設けられる。ストラップホルダ(例えば棒材の形態であり、例えばボルトによって形成される)が、前記少なくとも2つの分割壁の各々の隣接する対と、分割壁の前記対の間で延びる主本体部品の部分とによって形成される前記ケーブル収容部の内部に設けられてもよく、ストラップホルダは、前記ストラップをケーブルのいずれかの側において前記ケーブル収容部の内部で保持するように配置され、それによって前記ケーブルとしっかりと係合し、ケーブルを主本体部品に対して引っ張る。前記ストラップホルダは、例えばボルトによって形成され、前記ケーブル収容部の内部で並列に延び、1つがケーブルの各々の側にある、例えば棒材の形態であり、ストラップは、初めに、ケーブルの一方の側において前記ストラップホルダと主本体部品との間の空間を通り、次に、ケーブルを周り、次に、ケーブルの他方の側において前記ストラップホルダと主本体部品との間の空間を通って、ケーブル収容部の内部でジグザグの様態で案内される。好ましくは、ケーブル結束具本体は、3本のケーブルを保持するために3つの収容部を備える。好ましくは、ストラップは、素早く閉じるバックルを用いて閉じられて係止される。好ましくは、ケーブル結束具本体はプラスチック材料から作られる。ケーブル結束具のさらなる好ましい特徴は、具体的には図33〜図40を参照して、以下の図の詳細な記載において記載されている。
【００４５】
添付の図面は、本発明の非限定的な好ましい例示の実施形態を示すために使用されている。添付の図面と併せて読まれるとき、以下の詳細な記載から、本発明の先の述べられた利点、特徴、および目的と、他の利点、特徴、および目的とがより明らかとなり、本発明はより良く理解される。
【図面の簡単な説明】
【００４６】
【図１】停電の間に電力網の変電所(配電所)の失陥した開閉装置建物を迂回するための単芯電力ケーブルを設置するための先行技術の方法における順次ステップを示す概略図である。
【図２】停電の間に電力網の変電所(配電所)の失陥した開閉装置建物を迂回するための単芯電力ケーブルを設置するための先行技術の方法における順次ステップを示す概略側面図である。
【図３】停電の間に電力網の変電所(配電所)の失陥した開閉装置建物を迂回するための単芯電力ケーブルを設置するための先行技術の方法における順次ステップを示す概略側面図である。
【図４】停電の間に電力網の変電所(配電所)の失陥した開閉装置建物を迂回するための単芯電力ケーブルを設置するための先行技術の方法における順次ステップを示す概略側面図である。
【図５】停電の間に電力網の変電所(配電所)の失陥した開閉装置建物を迂回するための単芯電力ケーブルを設置するための先行技術の方法における順次ステップを示す概略側面図である。
【図６】停電の間に電力網の変電所(配電所)の失陥した開閉装置建物を迂回するための単芯電力ケーブルを設置するための先行技術の方法における順次ステップを示す概略側面図である。
【図７】停電の間に電力網の変電所(配電所)の失陥した開閉装置建物を迂回するために実行され、単芯電力ケーブルのセットを設置するための概略的に示された方法において使用される本発明によるシステムの実施形態を示す、本発明による単芯電力ケーブルを設置するための方法の実施形態における順次ステップを示す概略側面図である。
【図８】停電の間に電力網の変電所(配電所)の失陥した開閉装置建物を迂回するために実行され、単芯電力ケーブルのセットを設置するための概略的に示された方法において使用される本発明によるシステムの実施形態を示す、本発明による単芯電力ケーブルを設置するための方法の実施形態における順次ステップを示す概略側面図である。
【図９】停電の間に電力網の変電所(配電所)の失陥した開閉装置建物を迂回するために実行され、単芯電力ケーブルのセットを設置するための概略的に示された方法において使用される本発明によるシステムの実施形態を示す、本発明による単芯電力ケーブルを設置するための方法の実施形態における順次ステップを示す概略側面図である。
【図１０】停電の間に電力網の変電所(配電所)の失陥した開閉装置建物を迂回するために実行され、単芯電力ケーブルのセットを設置するための概略的に示された方法において使用される本発明によるシステムの実施形態を示す、本発明による単芯電力ケーブルを設置するための方法の実施形態における順次ステップを示す概略側面図である。
【図１１】停電の間に電力網の変電所(配電所)の失陥した開閉装置建物を迂回するために実行され、単芯電力ケーブルのセットを設置するための概略的に示された方法において使用される本発明によるシステムの実施形態を示す、本発明による単芯電力ケーブルを設置するための方法の実施形態における順次ステップを示す概略側面図である。
【図１２】図7〜図11において示された本発明によるシステムのケーブル結束具の実施形態における単芯電力ケーブルの配置の概略側面図である。
【図１３Ａ】あらかじめ設置されたケーブル結束具として、図7〜図11において示されているような本発明によるシステムの単芯電力ケーブルのセットにあらかじめ設置される固定数ケーブル結束具の実施形態の、部品が取り外された状態での斜視図である。
【図１３Ｂ】図13Aのケーブル結束具の斜視分解図である。
【図１４】図7〜図11において示された本発明によるシステムの単芯電力ケーブルのセットの長さの一部に図13Aおよび図13Bのように3つのあらかじめ設置されたケーブル結束具があらかじめ設置されている、その一部の上面図である。
【図１５】図14の単芯電力ケーブルのセットの長さの一部の曲げられた後の上面図である。
【図１６】図7〜図11において示されているような本発明によるシステムの単芯コネクタ電力ケーブルが配置されている、図7〜図11において示された変電所の変圧器の概略側面図である。
【図１７Ａ】図7〜図11において示されているような本発明によるシステムの単芯コネクタ電力ケーブルを変圧器に配置するために、例えば図16に示されているように単芯電力ケーブルを自由に吊り下げるときに使用される、図7〜図11において示されているような本発明によるシステムの固定数ケーブル結束具の実施形態の概略図である。
【図１７Ｂ】図7〜図11において示されているような本発明によるシステムの単芯コネクタ電力ケーブルを変圧器または地上に配置するために、例えば図16に示されているように単芯電力ケーブルを自由に吊り下げるかまたは敷設するときに使用される、図7〜図11において示されているような本発明によるシステムの固定数ケーブル結束具の実施形態の概略図である。
【図１８】本発明によるシステムでの使用のためのモジュール式ケーブル結束具のケーブル結束具モジュールの実施形態の斜視分解図である。
【図１９】固定または可変の相互距離において単芯電力ケーブルを自由に吊り下げることに使用される、図18に示されているような3つのケーブル結束具モジュールを備える、本発明によるシステムでの使用のためのモジュール式ケーブル結束具の実施形態の斜視図である。
【図２０】本発明によるシステムでの使用のためのモジュール式ケーブル結束具のケーブル結束具モジュールの代替の実施形態の斜視分解図である。
【図２１】図20に示されているような3つのケーブル結束具モジュールを備えるあらかじめ設置されたケーブル結束具として図7〜図11に示されているような本発明によるシステムにおいて単芯電力ケーブルのセットにあらかじめ設置されるモジュール式ケーブル結束具、または、ケーブル結束具として固定もしくは可変の相互距離で単芯電力ケーブルを自由に吊り下げるかもしくは敷設するために使用される、図20に示されているような3つのケーブル結束具モジュールを備える、本発明によるシステムでの使用のためのモジュール式ケーブル結束具の代替の実施形態の斜視図である。
【図２２】図7〜図11において示されているような本発明によるシステムの単芯コネクタ電力ケーブルを地上に配置するために、例えば図16に示されているように単芯電力ケーブルを自由に敷設するときに使用される、図7〜図11において示されているような本発明によるシステムでの使用のための固定数ケーブル結束具の代替の実施形態の斜視図である。
【図２３】図22に示されているような固定数ケーブル結束具の斜視分解図である。
【図２４】図7〜図11において示されているような本発明によるシステムの単芯コネクタ電力ケーブルを変圧器または地上に配置するために、例えば図16に示されているように単芯電力ケーブルを自由に吊り下げるかまたは敷設するときに使用され得る、図7〜図11において示されているような本発明によるシステムの固定数ケーブル結束具の代替の実施形態の斜視図である。
【図２５】図7〜図11において示されているような本発明によるシステムのためのケーブル引張装置の概略的な上面図である。
【図２６】ケーブル引張装置において2つの外側の電気コネクタの傾きを防止するための、図25で示された環部品の代替として、図25のケーブル引張装置における使用のためのバネの斜視図である。
【図２７】経路に沿って引っ張られ、一連の曲げ案内管を用いて経路における湾曲に沿って案内される、図7〜図11において示されているような本発明によるシステムの単芯電力ケーブルのセットの概略的な上面図である。
【図２８】曲げ案内管のうちの1つにおける単芯電力ケーブルのセットの方向付けを示す、図27の単芯電力ケーブルのセットの断面図である。
【図２９】電力ケーブルのセットで満たされた本発明によるシステムのケーブルリールの斜視図である。
【図３０】図29のケーブルリールの側面図である。
【図３１】電力ケーブルのセットで各々が満たされる4つのケーブルリールが配置されている本発明によるシステムの車両を示す図である。
【図３２】電力ケーブルのセットで各々が満たされる4つのケーブルリールが配置されている本発明によるシステムの静止フレームを示す図である。
【図３３】図24に示されているような本発明によるシステムの固定数ケーブル結束具の代替の実施形態の斜視図である。
【図３４】図33の固定数ケーブル結束具の前面図である。
【図３５】図33の固定数ケーブル結束具の側面図である。
【図３６】図33の固定数ケーブル結束具の上面図である。
【図３７】図33の固定数ケーブル結束具の底面図である。
【図３８】図33に示されているような本発明によるシステムの固定数ケーブル結束具の代替の実施形態の斜視図である。
【図３９】電力ケーブルおよびストラップとの組み合わせでの、図33に示されているような本発明によるシステムの固定数ケーブル結束具の断面図である。
【図４０】電力ケーブルおよびストラップとの組み合わせでの、図33に示されているような本発明によるシステムの固定数ケーブル結束具の断面図である。
【発明を実施するための形態】
【００４７】
図1〜図6は、停電の間に配電網の変電所または変電所の失陥した構成要素を迂回するために単芯電力ケーブルを設置するための先行技術の方法を示している。
【００４８】
図1では、発電プラント3と、変電所5、7、9、11、12と、居住用建物13と、産業用建物15と、風力発電場17とを含む典型的な電力(配電)網1が示されている。電力網1は、高電圧電力配線19と、中間電圧ケーブル21と、中電圧ケーブル23と、低電圧ケーブル24とをさらに備える。変電所9、11、12は、送電電圧または配電電圧を低下させる変圧器を備える。例えば、変電所9は、送電電圧を150kVなどの高電圧から50kVなどの中間電圧へと低下させる変圧器を備え、変電所12は、配電電圧を10kVなどの中電圧から400Vなどの低電圧へと低下させる変圧器を備える。
【００４９】
図2では、変電所11は、変圧器25と開閉装置建物27とを含んで概略的に示されている。変圧器25は中間電圧ケーブル21に接続されている。変圧器25は、中電圧ケーブル29を介して開閉装置建物27へとさらに接続されている。図2では、変電所11は、図2に示されているように、変電所11および12にそれぞれ接続されている居住用建物13および産業用建物15に電気が提供されるように動作状態にある。
【００５０】
図3では、開閉装置建物27が失陥しており、その結果、変電所11および12にそれぞれ接続されている居住用建物13および産業用建物15に電気がもはや提供されていない停電をもたらしている状況が示されている。
【００５１】
図4に示されているように、居住用建物13および産業用建物15への電気の分配を回復させるために、失陥した開閉装置建物27が修理されている間、1つまたは複数の移動式緊急開閉装置コンテナ31が失陥した開閉装置建物27を一時的に置き換えるために提供されている。移動式緊急開閉装置コンテナ31を変圧器25に電気的に接続するために、単芯中電圧電力ケーブル39、41、43で各々が満たされたケーブルリール33、35、37が現場へと運ばれる。
【００５２】
図5で示されているように、各々の単芯電力ケーブル39、41、43はそれぞれのケーブルリール33、35、37から巻き解され、変圧器25と移動式緊急開閉装置コンテナ31との間で地面45の上で経路に沿って配置される。さらに、単芯電力ケーブル39、41、43の端は、単芯電力ケーブル39、41、43の一方の端を変圧器25の端子に接続するために、および、中電圧電力ケーブル39、41、43の他方の端を移動式緊急開閉装置コンテナ31に接続するために、現場において準備される。準備することは、単芯電力ケーブル39、41、43の端を分解して外皮を剥ぐことと、変圧器25の端子および移動式緊急開閉装置コンテナ31の端子とそれぞれ適合する終端またはコネクタを単芯電力ケーブル39、41、43の端に設置することとを含む。なおもさらには、単芯電力ケーブル39、41、43を変圧器25の端子および移動式緊急開閉装置コンテナ31の端子に接続する前に、隣り合う並列に延びる単芯電力ケーブル39、41、43は、単芯電力ケーブル39、41、43の長さに沿う所定位置において固定される必要があり、単芯電力ケーブル39、41、43は、隣り合う単芯電力ケーブル39、41、43の間に特定の最小距離を伴って、所定位置で固定される。単芯電力ケーブル39、41、43は、三相での短絡の場合に電気機械的な力のために単芯電力ケーブル39、41、43が横断方向において1つが他から離れるように爆発的に変位させられることを防止するために、所定位置で固定される必要がある。典型的には、単芯電力ケーブル39、41、43は、例えば、地面45に溝を掘り、その溝に単芯電力ケーブル39、41、43を配置することで、隣り合う単芯電力ケーブル39、41、43の間に特定の距離を伴って所定位置で固定される。単芯電力ケーブル39、41、43をそれらの長さに沿って所定位置で固定した後、単芯電力ケーブル39、41、43は、変圧器25の端子および移動式緊急開閉装置コンテナ31の端子に接続され、居住用建物13および産業用建物15への電気の分配が図6に示されているように回復され得る。
【００５３】
図7〜図11は、停電の間に電力網(配電網)の変電所(変電所の失陥した構成要素)を迂回するための、本発明によるシステムを用いた単芯電力ケーブルを一時的に設置するための方法の実施形態を示している。
【００５４】
図7および図8はそれぞれ図2および図3に対応している。図7では、変電所11は、変圧器25と開閉装置建物27とを含んで概略的に示されている。変圧器25は中間電圧ケーブル21に接続されている。変圧器25は、中電圧ケーブル29を介して開閉装置建物27へとさらに接続されている。図7では、変電所11は、図7に示されているように、変電所11および12にそれぞれ接続されている居住用建物13および産業用建物15に電気が提供されるように動作状態にある。
【００５５】
図8では、開閉装置建物27が失陥しており、その結果、変電所11および12にそれぞれ接続されている居住用建物13および産業用建物15に電気がもはや提供されていない停電をもたらしている状況が再び示されている。
【００５６】
図9に示されているように、居住用建物13および産業用建物15への電気の分配を回復させるために、失陥した開閉装置建物27が修理されている間、移動式緊急開閉装置コンテナ31が失陥した開閉装置建物27を一時的に置き換えるために提供されている。移動式緊急開閉装置コンテナ31を変圧器25に電気的に接続するために、本発明によるシステムの実施形態47が現場へと運ばれる。システム47は、システム47を変電所11へと輸送するために使用される一貫輸送コンテナ49を有する。一貫輸送コンテナ49では、システム47は、図示されているように、軌道55において走行する図示された車両53など、自己推進車両に配置され得る延長電力ケーブルリール51を有する。一貫輸送コンテナ49において、システム47は、図示されているように、カート63に配置され得る3本のコネクタ電力ケーブルリール57、59、61も有する。
【００５７】
それぞれのコネクタケーブルリール57、59、61に巻き付けられたコネクタ電力ケーブル71、73、75の各々は、その他端において、それぞれの1つの電気コネクタ81、83、85が設けられることによって延長電力ケーブル65、67、69のうちのそれぞれ1つへの電気接続のために準備されている。延長電力ケーブルリール51において並列に数回の巻回で巻き付けられた延長電力ケーブル65、67、69は、各々、その一端において、それぞれの1つの電気コネクタ87、89、91がその端に設けられることによって、コネクタ電力ケーブル71、73、75のうちのそれぞれ1つへの電気接続のために準備されている。システムに依存して、延長電力ケーブルのコネクタ87、89、91は、コネクタ電力ケーブルのコネクタ81、83、85と嵌まり合うことができるかまたは嵌まり合うことができない(嵌まり合うことができない場合、追加の接続ジョイントが必要である)。
【００５８】
図10に示されているように、延長電力ケーブルリール51は、単芯延長電力ケーブルのセット77として延長電力ケーブルリール51において並列に数回の巻回で巻き付けられている3本の単芯延長電力ケーブル65、67、69、具体的には、3本の単芯中電圧電力ケーブルで満たされている。コネクタ電力ケーブルリール57、59、61の各々は、延長電力ケーブルを変圧器25の電気端子のうちの1つに電気的に接続するように構成された少なくとも1つの単芯コネクタ電力ケーブル71、73、75で満たされている。
【００５９】
それぞれのコネクタケーブルリール57、59、61に巻き付けられたコネクタ電力ケーブル71、73、75の各々は、その一端において、好ましくは変圧器25の端子と適合する終端またはコネクタ79が設けられることによって、変圧器25の端子への電気接続のために準備されている。それぞれのコネクタケーブルリール57、59、61に巻き付けられたコネクタ電力ケーブル71、73、75の各々は、その他端において、2つの嵌まり合う電気コネクタ81/87、83/89、および85/91の一方81、83、85が設けられることによって延長電力ケーブル65、67、69のうちのそれぞれ1つへの電気接続のために準備されている。延長電力ケーブルリール51において並列に数回の巻回で巻き付けられた延長電力ケーブル65、67、69は、各々、その一端において、2つの嵌まり合う電気コネクタ81/87、83/89、および85/91の他方87、89、91がその端に設けられることによって、コネクタ電力ケーブル71、73、75のうちのそれぞれ1つへの電気接続のために準備されている。嵌まり合う電気コネクタ81/87、83/89、および85/91は、コネクタ電力ケーブル71、73、75および延長電力ケーブル65、67、69のそれぞれの端においてすでに設けられているため、設置人員は、コネクタ電力ケーブル71、73、75を延長電力ケーブル65、67、69へと接続するために、現場において嵌まり合う電気コネクタ81/87、83/89、および85/91を嵌め合うことが必要なだけである。コネクタ電力ケーブル71、73、75の各々は、その一端において、好ましくは、変圧器25の端子と適合する終端またはコネクタ79が設けられることによって、変圧器25の端子への電気接続のためにすでに準備されているため、設置人員は、コネクタ電力ケーブル71、73、75を変圧器25に接続するために、現場において各々の終端またはコネクタ79を変圧器25のそれぞれの端子に接続することが必要なだけである。図5に示されている先行技術の方法に対して、ケーブルをある長さに切断する必要はなく、ケーブルを変圧器25に接続できるように現場でケーブルの端を準備する必要もない。
【００６０】
代替で、コネクタ電力ケーブル71、73、75のコネクタ81、83、85は、延長電力ケーブル65、67、69のコネクタ87、89、91と嵌まり合わなくてもよい。その場合、追加の接続ジョイントが、電気コネクタ81/87、83/89、および85/91のそれぞれの対を接続するために必要である。
【００６１】
図10に示された状況から始まって、延長電力ケーブル65、67、69のセット77は、例えば、電力ケーブルのセット77としての延長電力ケーブル65、67、69を巻き解す間、延長電力ケーブルリール51が配置されている自己推進車両53を経路に沿って移動させることで、変圧器25と移動式緊急開閉装置コンテナ31との間の経路に沿って配置できる。したがって、変圧器25と移動式緊急開閉装置コンテナ31との間の経路に沿っての自己推進車両53の1回の走行において、3本の延長電力ケーブル65、67、および69が、変圧器25と移動式緊急開閉装置コンテナ31との間の前記経路に沿って地面45に配置される。図5および図6に示されている先行技術の方法に対して、変圧器25と移動式緊急開閉装置コンテナ31との間の経路に沿って3本のケーブルを別々に配置する必要がない。
【００６２】
図9〜図11に示されているシステム47の実施形態では、延長電力ケーブル65、67、69は延長電力ケーブル65、67、69のセット77として延長電力ケーブルリール51において並列に数回の巻回で現場において巻き付けられることになり、移動式緊急開閉装置コンテナ31と接続される延長電力ケーブル65、67、69の端は、移動式緊急開閉装置コンテナ31との電気接続のためにすでに準備されている。具体的には、延長電力ケーブル65、67、69のセット77の各々は、移動式緊急開閉装置コンテナ31の電気端子と適合する電気終端またはコネクタ93がその一端に設けられることで準備された状態になっている。したがって、変圧器25と移動式緊急開閉装置コンテナ31との間の経路に沿って延長電力ケーブル65、67、69のセット77を配置した後、設置人員は、延長電力ケーブル65、67、69を移動式緊急開閉装置コンテナ31に電気的に接続するために、移動式緊急開閉装置コンテナ31の電気端子を、延長電力ケーブル65、67、69の端に設けられた適合する終端またはコネクタ93に接続することが必要なだけである。代替で、延長電力ケーブル65、67、69を移動式緊急開閉装置コンテナ31の端子に接続するために、コネクタ電力ケーブル71、73、75などのコネクタ電力ケーブルの追加のセットをシステム47に提供することが可能である。
【００６３】
さらに、図9〜図11に示されているシステム47の実施形態では、延長電力ケーブルのセット77として延長電力ケーブルリール51において並列に数回の巻回で巻き付けられた延長電力ケーブル65、67、69は、角の長さの差異のケーブル結束具95のあらかじめ設置されたセットを用いて、延長電力ケーブルの長さに沿って並列の関係で相互に結合される。あらかじめ設置されたケーブル結束具95は、所定の距離で相互に分離された延長電力ケーブル65、67、69を保持するように構成されている。あらかじめ設置されたケーブル結束具95は、電力ケーブル同士を短絡防止で相互に結合するように構成されている。あらかじめ設置されたケーブル結束具95のおかげで、変圧器25と移動式緊急開閉装置コンテナ31との間の経路に沿って地面45に3本の延長電力ケーブル65、67、および69のセット77を配置した後、図6を参照して詳述された先行技術の方法に対して、溝を掘ってそこに延長電力ケーブルを配置することはもはや必要とされない。
【００６４】
あらかじめ設置されたケーブル結束具95によって相互に結合された延長電力ケーブル65、67、および69のセット77を変圧器25と移動式緊急開閉装置コンテナ31との間の経路に沿って地面45に配置した後、単芯延長電力ケーブル65、67、69は、本明細書で先に記載されているように、変圧器25の端子および移動式緊急開閉装置コンテナ31の端子に接続でき、居住用建物13および産業用建物15への電気の分配が、図11に示されているように回復され得る。
【００６５】
図1〜図11では、移動式緊急開閉装置コンテナ31は、失陥のある永久的な開閉装置建物27を一時的に置き換えるために提供されている。代替で、変圧器および開閉器装置コンテナを含む(a.o.)移動式緊急変電所を用いて変電所11全体を迂回することも可能である。
【００６６】
図12は、あらかじめ設置されたケーブル結束具95の延長電力ケーブル65、67、69の配置を示している。図12では、あらかじめ設置されたケーブル結束具97が、3つのケーブル収容部99、101、103を有して概略的に示されている。図12では、ケーブル収容部99、101、103の各々は延長電力ケーブル65、67、69のうちのそれぞれ1本を収容している。延長電力ケーブル65、67、69の各々は、外装65bによって包囲された単芯65a、67a、69aを有する。ケーブル収容部99、101、103は、延長電力ケーブル65、67、69が列で配置されるように列で配置されている。具体的には、延長電力ケーブル65、67、69は、それぞれの中心長手方向軸la65、la67、la69が中心長手方向軸la65、la67、la69のうちの少なくとも1つに対して垂直である線lによって交差させられる列で配置されている。隣り合うケーブル収容部99/101、101/103の間の距離は、隣り合う延長電力ケーブル65/67、67/69の間の距離dを定めている。示されている好ましい実施形態では、隣り合うケーブル収容部99/101、101/103の間の距離は、隣り合う延長電力ケーブル65/67、67/69の間の距離dが延長電力ケーブル65、67、69の直径Dと等しくなるようになっている。したがって、隣り合う延長電力ケーブルの中心長手方向軸同士の間の距離は2dに等しい。ケーブル収容部99、101、103の各々は延長電力ケーブル65、67、69のうちのそれぞれ1本を包囲し、それによって、延長電力ケーブル65、67、69のそれぞれの中心長手方向軸la65、la67、la69に対する横断方向において、あらかじめ設置されたケーブル結束具97に対する延長電力ケーブル65、67、69の移動を抑制する。短絡の場合、列の外側電力ケーブル65および69は、短絡と関連する電気機械的な力の結果として、中央の電力ケーブル67の中心長手方向軸la67に対して、それぞれの横断方向A、Bにおいて中央の電力ケーブル67から離されるように押される。あらかじめ設置されたケーブル結束具95は、延長電力ケーブル65、67、69のセットが使用される電力網の一部における三相での短絡の場合、電気機械的な力に耐えるように設計されることで短絡防止となっている。結果として、短絡の場合、あらかじめ設置されたケーブル結束具95は、短絡に関連する電気機械的な力に拘わらず、延長電力ケーブル65、67、69を一緒に保持する。
【００６７】
図13Aおよび図13Bは、あらかじめ設置されたケーブル結束具95の好ましい実施形態を示している。ケーブル結束具95は、示された実施形態では3本の単芯電力ケーブルである固定された数の電力ケーブルを並列に相互に結合するように設計された固定数ケーブル結束具である。ケーブル結束具95は、2つの嵌まり合うケーブル結束具本体105、107のセットを備える。両方のケーブル結束具本体105、107は3つのケーブル収容部99a、99b、101a、101b、103a、103bを備える。図13Bに示されているように、ケーブル収容部99a、99b、101a、101b、103a、103bは、嵌まり合うケーブル結束具本体105、107の嵌まり合っていない状態において、電力ケーブルの中心長手方向軸を横断して電力ケーブルを受け入れるように構成されている。嵌まり合うケーブル結束具本体105、107の嵌まり合った状態において、嵌まり合うケーブル結束具本体105、107の両方のケーブル収容部を各々の対が備えるケーブル収容部99a/99b、lOla/lOlb、103a/103bのそれぞれの対は、受け入れられた電力ケーブルを包囲する単一のケーブル収容部99、101、103を形成するために嵌まり合う。したがって、2つの嵌まり合うケーブル結束具本体105のうちの一方のケーブル収容部99a、101a、103aに受け入れられた電力ケーブルは、2つの嵌まり合うケーブル結束具本体107のうちの他方を用いてケーブル収容部において係止される。嵌まり合うケーブル結束具本体105、107は同一であり、これは製造の観点から有利な特徴である。嵌まり合うケーブル結束具本体105、107は、ケーブル結束具本体105、107の嵌まり合った状態において嵌まり合う凸部109および凹部111のうちの一方を、収容部99、101、103の相対する側に各々備えることによって、相互係止している。さらに、嵌まり合うケーブル結束具本体105、107の各々は、1つの長い端壁105a、107aと、1つの短い端壁105b、107bとが設けられている。図12に示された電力ケーブル65、67、69の概略的な配置に対応して、図13Aに示されている嵌まり合うケーブル結束具本体105、107の嵌まり合った状態において、収容部99、101、103によって受け入れられた延長電力ケーブル65、67、69は列で配置され、それぞれの中心長手方向軸la65、la67、la69が中心長手方向軸la65、la67、la69のうちの少なくとも1つに対して垂直である線lによって交差させられる列で配置される。図13Aに示されているように、嵌まり合うケーブル結束具本体105、107の嵌まり合った状態では、長い端壁105aは前記線lによって交差させられる。
【００６８】
図13Aおよび図13Bに示されたケーブル結束具95は、中間のケーブル収容部101に受け入れられた電力ケーブル67のケーブル結束具95に対する電力ケーブル67の長手方向においての並進が妨げられるように、ケーブル収容部99、101、103の列の中間のケーブル収容部101に受け入れられた電力ケーブル67にケーブル結束具95を結合するように構成されている第1のケーブル結合器113を有する。第1のケーブル結合器113は、電力ケーブル67の中心長手方向軸la67の周りでのケーブル結束具95に対する電力ケーブル67の回転が許容されるように、ケーブル収容部99、101、103の列の中間のケーブル収容部101に受け入れられた電力ケーブル67にケーブル結束具95を結合するようにさらに構成されている。図13Aおよび図13Bに示されている好ましい実施形態では、第1のケーブル結合器113は、電力ケーブル67において締め付けられるように構成されている締め付けブッシュ115を備えている。具体的には、締め付けブッシュ115は、電力ケーブル67の周囲の周りに配置でき、ストラップ117を用いて電力ケーブル67の外装67bの外面に締め付けられ得る2つの嵌まり合う半体115a、115bから作られている。電力ケーブル67の外装67bの外面と接触させられる半体115a、115bの内面は、締め付けブッシュ115が電力ケーブル67において締め付けられると電力ケーブル67に沿っての締め付けブッシュ115の並進が妨げられるように、リブが設けられている。嵌まり合うケーブル結束具本体105、107は、締め付けブッシュ115を収容するための締め付けブッシュ収容部119a、119bが各々設けられている。嵌まり合うケーブル結束具本体105、107の嵌まり合った状態において、締め付けブッシュ収容部119a、119bが、締め付けブッシュ115の円筒形の外面と嵌まり合う円筒面を、組み立てられた締め付けブッシュ収容部119に提供する。組み立てられた締め付けブッシュ収容部119と、締め付けブッシュ収容部119に受け入れられた締め付けブッシュ115との嵌まり合う円筒面は、締め付けブッシュ115を、締め付けブッシュ収容部119において締め付けブッシュ115の中心長手方向軸la115の周りで回転させることができる。ケーブル結束具本体105、107の嵌まり合った状態において、締め付けブッシュ収容部119の円筒面は、締め付けブッシュ115が組み立てられた締め付けブッシュ収容部119において収容された状態で締め付けブッシュ115の円筒形の外面における1つまたは複数の周囲壁123が中へと突出する周囲溝121を有する。周囲溝121と、好ましくは2つの周囲壁123とは、締め付けブッシュ115の中心長手方向軸la115に沿っての組み立てられた締め付けブッシュ収容部119に対する締め付けブッシュ115の並進を妨げる一方で、締め付けブッシュ収容部119において締め付けブッシュ115の中心長手方向軸la115の周りで締め付けブッシュ115を回転させるために、協働する。締め付けブッシュ115を電力ケーブル67の外装67bの外面において締め付けるために、1つまたは複数のストラップ117が2つの周囲壁123の間の周囲溝125において使用される。締め付けブッシュ115の円筒形の外面から、組み立てられた締め付けブッシュ収容部119の円筒面の周囲溝121へと突出する2つの周囲壁123を有する締め付けブッシュの代わりに、締め付けブッシュ115の2つの周囲壁123がさらに離して位置決めされ、それによって嵌まり合うケーブル結合具本体105、107が間で延びる周囲溝を形成する���とが可能である。
【００６９】
ケーブル結束具95は、電力ケーブル65、69の長手方向におけるケーブル結束具95に対する電力ケーブル65、69の並進が許容されるように、ケーブル収容部99、101、103の列の2つの外側のケーブル収容部99、103に受け入れられた電力ケーブル65、69にケーブル結束具95を結合するように構成されている2つの第2のケーブル結合器125、127をさらに備えている。図13Aおよび図13Bに示されている好ましい実施形態では、第2のケーブル結合器125、127は、電力ケーブル65、69を収容するための円筒形のケーブル収容部99、103を備えている。円筒形のケーブル収容部99、103は、入口錐面129同士がそれらの間に喉部131を定める状態でベンチュリ管の形とされている。有利な実施形態(図示せず)では、低摩擦環体がベンチュリ管の形とされたケーブル収容部99、103の喉部131に配置されている。
【００７０】
図13Aに示されているように、嵌まり合うケーブル結束具本体105、107は、隆起した頭部134を伴う根角ボルト132を用いて、嵌まり合った状態で一緒に保持される。隆起した頭部134の高さは、隆起した頭部134がケーブル結束具本体105から突出し、それによって摩耗部品として供するようになっている。摩耗部品は、具体的には、電力ケーブルのセット77が地上において経路に沿って引っ張られるときに有利である。電力ケーブルのセット77を地上において引っ張るときに隆起した頭部134を摩耗部品として使用するために、ケーブル結束具95は、隆起した頭部134が地面と接触するように、図13Aに示された方向付けに対して逆さまに配置される。
【００７１】
図13Bに示されているように、スペーサリング136が嵌まり合うケーブル結束具本体105、107の間に配置され得る。これは、締め付けブッシュ収容部119と、締め付けブッシュ収容部119に受け入れられた締め付けブッシュ115の周囲溝121とをそれぞれ適合させることができる。
【００７２】
図13Aに示されているように、ケーブル結束具本体105は、周囲溝121から埃を洗い出すために使用され得る貫通孔106が設けられる。
【００７３】
図13Aおよび図13Bに示されているように、嵌まり合うケーブル結束具本体105、107は丸くされた縁を有する。これは、ケーブル結束具95が、単芯電力ケーブルのセット77が経路に沿って引っ張られる間、何かに引っ掛かるのを防止する。好ましくは、嵌まり合った状態において、ケーブル結束具本体105、107はケーブル結束具95に玉石状の形を与え、それによって玉石状の形のケーブル結束具95を作る。
【００７４】
図14では、延長電力ケーブル65、67、69のセット77の長さの一部が示されており、その長さに沿って、延長電力ケーブル65、67、69はあらかじめ設置されたケーブル結束具95のうちの3つを用いて相互に結合されている。図示されているように、それぞれのあらかじめ設置されたケーブル結束具95a、95b、95cは、隣り合うあらかじめ設置されたケーブル結束具95a/95b、95b/95cが電力ケーブル65、67、69の長手方向においてずれ距離ODにわたって相互にずれるように、示された長さに沿って分配されている。図14では、図14に示されているように電力ケーブル65、67、69が真っ直ぐな経路に沿って配置される場合に、それぞれのケーブル結束具95a、95b、95cが電力ケーブル65、67、69に結合されている中心長手方向軸la65、la67、la69に沿っての丸印の場所で、概略的に示されている。白丸印は、それぞれのケーブル結束具95a、95b、95cに対するそれぞれの電力ケーブル65、67、69の並進が許容されるように第2の結合器125、127を用いて電力ケーブル65、67、69がケーブル結束具95a、95b、95cに結合されている場所を指示している。内部に点を伴う白丸印は、電力ケーブルの長手方向におけるそれぞれのケーブル結束具95a、95b、95cに対するそれぞれの電力ケーブル65、67、69の並進が妨げられるように第1の結合器113を用いて電力ケーブル65、67、69がケーブル結束具95a、95b、95cに結合されている場所を指示している。
【００７５】
図15では、延長電力ケーブル65、67、69のセット77の長さの一部は、長さが湾曲した経路に沿って配置される場合で示されている。図15に示されているように、内部に点を伴う白丸印は、図14の延長電力ケーブル65、67、69のセット77の長さの一部が湾曲した経路に沿って配置されるとき、電力ケーブルの長手方向におけるそれぞれのケーブル結束具95a、95b、95cに対するそれぞれの電力ケーブル65、67、69の並進が妨げられ、それぞれのケーブル結束具95a、95b、95cに対して同じ場所に留まるように、電力ケーブル65、67、69が第1の結合器113を用いてケーブル結束具95a、95b、95cに結合される場所を指示している。しかしながら、図15に示されているように、湾曲した経路に沿うそれぞれの電力ケーブル65、67、69の経路の長さにおける差異の結果として、電力ケーブル65、67、69が第2のケーブル結合器125、127を用いてケーブル結束具95a、95b、95cに結合された場所を図14において指示していた白丸印は、それぞれのケーブル結束具95a、95b、95cに対して移動し、それによって、湾曲した経路に沿ってのそれぞれの電力ケーブル65、67、69の経路の長さにおける差異を補っている。
【００７６】
図16では、延長電力ケーブル65、67、69を変圧器25に電気的に接続するコネクタ電力ケーブル71、73、75が後で設置されるケーブル結束具97を用いて並列な関係で相互に結合されていることが示されている。図16に示されているように、コネクタ電力ケーブル71、73、75は、変圧器25から吊り下がるコネクタ電力ケーブル71、73、75の長さの立ち上がっている部分に沿って、後で設置されるケーブル結束具97aを用いて一緒に結合されている。さらに、コネクタ電力ケーブル71、73、75は、地上に配置されるコネクタ電力ケーブル71、73、75の長さの部分に沿って、後で設置されるケーブル結束具97bを用いて一緒に結合されている。後で設置されるケーブル結束具97は、図17〜図24を参照して本明細書において後でより詳細に記載されている。
【００７７】
図17Aでは、後で設置されるケーブル結束具97の実施形態が示されている。ケーブル結束具97は、示された実施形態では3本の単芯電力ケーブルである固定された数の電力ケーブルを並列に相互に結合するように設計された固定数ケーブル結束具である。ケーブル結束具97は、2つの嵌まり合うケーブル結束具本体133、135のセットを備える。両方のケーブル結束具本体133、135は3つのケーブル収容部137a、137b、139a、139b、141a、141bを備える。図17Aに示されているように、ケーブル収容部137a、137b、139a、139b、141a、141bは、嵌まり合うケーブル結束具本体133、135の嵌まり合っていない状態において、電力ケーブルの中心長手方向軸を横断して電力ケーブルを受け入れるように構成されている。嵌まり合うケーブル結束具本体133、135は、図17Aに示された嵌まり合っていない状態と嵌まり合った状態との間で一方が他方に対して回転可能となるようにヒンジ143を用いて接続されている。ケーブル結束具本体135を回転の軸145の周りで他方のケーブル結束具本体133に対して矢印Cの方向に回転させることで、嵌まり合うケーブル結束具本体133および135は嵌まり合った状態にさせることができる。嵌まり合うケーブル結束具本体133、135の嵌まり合った状態において、ケーブル収容部137a/137b、139a/139b、141a/141bのそれぞれの対は、受け入れられた電力ケーブルを包囲する単一のケーブル収容部137、139、141を形成するために嵌まり合う。したがって、2つの嵌まり合うケーブル結束具本体のうちの一方133のケーブル収容部137a、139a、141aに受け入れられた電力ケーブルは、2つの嵌まり合うケーブル結束具本体の他方135を矢印Cの方向において回転させた後、2つの嵌まり合うケーブル結束具本体のうちの他方135のケーブル収容部137b、139b、141bにおいて係止される。図17Aに示されている後で設置されるケーブル結束具97の実施形態は、2つの嵌まり合うケーブル結束具本体133、135の嵌まり合った状態において互いと係合する2つの協働する部品147a、147bを備えるクイックファスナが設けられている。そのヒンジ143およびクイックファスナ147a/147bのため、図17Aに示されている後で設置されるケーブル結束具97の実施形態は、クイックファスナケーブル結束具とも称される。図17Aに示されているようなケーブル結束具97の実施形態は、電力ケーブルを自由に吊り下げて結合するのに特に適している。したがって、図17Aに示されているようなケーブル結束具97の実施形態は、図16に示されている後で設置されるケーブル結束具97aとして好ましくは使用される。
【００７８】
図17Bでは、図17Aに示されたクイックファスナケーブル結束具の代替の実施形態が示されている。図17Bに示されたケーブル結束具97は、示された実施形態では3本の単芯電力ケーブルである並列な固定された数の電力ケーブルにおいて相互に結合するために設計された固定数ケーブル結束具である。ケーブル結束具97は単一のケーブル結束具本体191を備える。結束具本体191は3つのケーブル収容部193、195、197を備える。図17Bに示されているように、ケーブル収容部193、195、197は、電力ケーブルの中心長手方向軸に対して横断して電力ケーブルを受け入れるように構成されている。ケーブル結束具97は、電力ケーブルを収容部193、195、197において係止するためのストリップ199によって具現化された係止部材を備える。ケーブル結束具本体191と係止ストリップ199とは、図17Bにおいて示された非係止状態と係止状態との間で一方が他方に対して回転可能となるように、ヒンジ143を用いて接続される。係止ストリップ199を回転の軸145の周りでケーブル結束具本体191に対して矢印Cの方向に回転させることで、ケーブル結束具本体191と係止ストリップ199とは係止状態にさせることができる。図17Bに示されている後で設置されるケーブル結束具97の実施形態は、ケーブル結束具本体191と係止ストリップ199との係止状態において互いと係合する2つの協働する部品147a、147bを備えるクイックファスナが設けられている。図17Bに示されているようなケーブル結束具97の実施形態は、地上において自由に敷設する電力ケーブルを結合するのに特に適している。したがって、図17Bに示されているようなケーブル結束具97の実施形態は、図16に示されている後で設置されるケーブル結束具97bとして好ましくは使用される。図17Bに示されたケーブル結束具97は、概して、図17Bに示された方向付けに対して逆さまで使用される。係止ストリップ199は使用中に3本の単芯電力ケーブルの下に滑り込まされ、続いて、単芯電力ケーブルがケーブル収容部193、195、197に入り、ケーブル結束具本体191と係止ストリップ199とが係止状態になると単芯電力ケーブルがケーブル収容部193、195、197において係止されるように、ケーブル結束具本体191は係止ストリップ199および単芯電力ケーブルに向けて回転の軸145の周りで回転させられる。代替で、ヒンジ143の代わりに、第2のクイックファスナが、ケーブル結束具本体191および係止するストリップ199の係止状態において、係止するストリップ199をケーブル結束具本体191に留め付けるために使用されてもよい。
【００７９】
図18および図19では、後で設置されるケーブル結束具97の代替の実施形態1097が示されている。図19に示されているモジュール式ケーブル結束具1097は、1本の電力ケーブルを収容するように各々が構成されている3つのケーブル結束具モジュール151a、151b、および151cを備える。図18に示されているように、各々のケーブル結束具モジュール151は、2つの嵌まり合うケーブル結束具本体153、155のセットを備える。両方の嵌まり合うケーブル結束具本体153、155は、1本の電力ケーブルのためのケーブル収容部157a、157bを有する。ケーブル収容部157a、157bは、図18に示された嵌まり合うケーブル結束具本体の嵌まり合っていない状態において電力ケーブルの長手方向に対して横断して電力ケーブルを受け入れるように構成されている。嵌まり合うケーブル結束具本体153、155の嵌まり合った状態において、嵌まり合うケーブル結束具本体153、155のそれぞれのケーブル収容部157a、157bは、受け入れられた電力ケーブルを包囲する単一のケーブル収容部157を形成するように嵌まり合う。したがって、2つの嵌まり合うケーブル結束具本体153のうちの一方のケーブル収容部157aに受け入れられる電力ケーブルは、2つの嵌まり合うケーブル結束具本体155のうちの他方のケーブル収容部157bにおいて係止される。嵌まり合うケーブル結束具本体153、155は同一であり、これは製造の観点から有利な特徴である。嵌まり合うケーブル結束具本体153、155は相互係止している。具体的には、嵌まり合うケーブル結束具本体153、155は、それぞれのケーブル収容部157a、157bの相対する側において延びる2つの側壁159a、159bおよび161a、161bを各々備える。嵌まり合った状態において、ケーブル結束具本体うちの一方153の各々の側壁159a、159bは、並列な関係において、ケーブル結束具本体うちの他方155の各々の側壁161a、161bと嵌まり合い、嵌まり合う側壁161a、161bのうちの一方は側壁159a、159bのうちの他方において入れ子になる。図18に示されているように、側壁161a、161bは、外側を向く表面において配置されるリブ165のセットを有するリップ163が設けられている。リブ165のセットは、他方の側壁159a、159bの内側を向く表面におけるリブのセット(図示せず)と協働し、そのため、ケーブル結束具本体153、155の嵌まり合った状態において、それぞれのリブのセットは互いと係合し、それによって、嵌まり合った状態においてケーブル結束具本体153、155の一方を他方に係合する。側壁に設けられたリブのセットを用いて、嵌まり合った状態においてケーブル結束具本体153、155の一方を他方に係合することは、ケーブル結束具モジュール151を、電力ケーブルに、具体的には、電力ケーブルの外装に締め付けることを可能にする。電力ケーブルにおいて締め付けられるとき、ケーブル収容部157の内側面に設けられたリブ167は、電力ケーブルに沿っての長手方向におけるケーブル結束具モジュール151の並進を防止する。嵌まり合うケーブル結束具本体153、155のそれぞれのケーブル収容部157a、157bは、ケーブル収容部において収容される電力ケーブルの外装と接触する円弧とされた内側接触面を有する。円弧とされた内側接触面の中心角αは180°未満であり、それによって、異なる外径を有する電力ケーブルにケーブル結束具モジュール151を締め付けさせることができる。
【００８０】
図19を用いて示されているように、3本の電力ケーブルは、ケーブル結束具モジュール151a、151b、151cが列で配置されるように、それぞれのケーブル結束具モジュール151を3本の並列な電力ケーブルのセットのそれぞれの電力ケーブルにおいて締め付けることで、および、続いて、ストラップ169を用いてケーブル結束具モジュール151a、151b、151cを一緒に結束することで、相互に結合できる。図19に示されているように、ケーブル結束具モジュール151a、151b、151cは並列に配置され、つまり、ケーブル結束具モジュールのケーブル結束具本体153は第1の列で配置され、一方、ケーブル結束具モジュールのケーブル結束具本体155は第2の列で配置される。図19に示されているように、ケーブル結束具モジュール151a、151b、151cは相互に接触していない。可能ではあるが、隣り合うケーブル結束具モジュール151a/151b、151b/151cの一方を他方に当てるように引っ張ることは必要とされない。3本の電力ケーブルを相互に結合する代わりに、モジュール式ケーブル結束具1097は、ストラップ169を用いて一緒に締め付けられるケーブル結束具モジュール151の数を低減または増加させることで、より少ない電力ケーブルまたはより多くの電力ケーブルを相互に結合するように構成され得る。図19に示されているようなケーブル結束具1097の実施形態は、電力ケーブルを自由に吊り下げて結合するのに特に適している。したがって、図19に示されているようなケーブル結束具1097の実施形態は、図16に示されている後で設置されるケーブル結束具97aとして好ましくは使用される。図19に示されているケーブル結束具1097は、特有の利点として、単芯電力ケーブルを可変相互距離で相互に自由に吊り下げて結合することを可能にすることを有する。
【００８１】
図20および図21では、後で設置されるケーブル結束具97の代替の実施形態2097が示されている。図21に示されているモジュール式ケーブル結束具2097は、1本の電力ケーブルを収容するように各々が構成されている3つのケーブル結束具モジュール171a、171b、および171cを備える。図21に示されているように、各々のケーブル結束具モジュール171は、2つの嵌まり合うケーブル結束具本体173、175のセットを備える。両方の嵌まり合うケーブル結束具本体173、175は、1本の電力ケーブルのためのケーブル収容部177a、177bを有する。ケーブル収容部177a、177bは、図22に示された嵌まり合うケーブル結束具本体の嵌まり合っていない状態において電力ケーブルの長手方向に対して横断して電力ケーブルを受け入れるように構成されている。嵌まり合うケーブル結束具本体173、175の嵌まり合った状態において、嵌まり合うケーブル結束具本体173、175のそれぞれのケーブル収容部177a、177bは、受け入れられた電力ケーブルを包囲する単一のケーブル収容部177を形成するように嵌まり合う。したがって、2つの嵌まり合うケーブル結束具本体173のうちの一方のケーブル収容部177aに受け入れられる電力ケーブルは、2つの嵌まり合うケーブル結束具本体175のうちの他方のケーブル収容部177bにおいて係止される。嵌まり合うケーブル結束具本体173、175は同一であり、これは製造の観点から有利な特徴である。嵌まり合うケーブル結束具本体173、175は相互係止している。具体的には、嵌まり合うケーブル結束具本体173、175は、ケーブル結束具本体173、175の嵌まり合った状態において嵌まり合う凸部179および凹部181のうちの一方を、収容部177a、177bの相対する側に各々備えることによって、相互係止している。嵌まり合うケーブル結束具本体173、175のそれぞれのケーブル収容部177a、177bは、ケーブル収容部において収容される電力ケーブルの外装と接触する円弧とされた内側接触面を有する。円弧とされた内側接触面の中心角βは180°未満であり、それによって、異なる直径を有する電力ケーブルにケーブル結束具モジュール171を締め付けさせることができる。スペーサリング(図示せず)などのスペーサが、嵌まり合うケーブル本体173、175の間の距離を定め、それによって、電力ケーブルが収容部177に配置され、嵌まり合うケーブル結束具本体173、175の一方が他方に向けて押されるときに、ケーブル結束具モジュール171が電力ケーブルにおいて締め付けているのか、それとも電力ケーブルを緩く保持しているだけなのかを定めるために、凸部179に配置されてもよい。電力ケーブルにおいて締め付けられるとき、ケーブル収容部177の内側面に設けられたリブ183は、電力ケーブルに沿ってのケーブル結束具モジュール171の並進を防止する。
【００８２】
図21に示されているように、ケーブル結束具モジュール171a、171b、171cは直列の列で配置されており、つまり、ケーブル結束具本体173および175は単一の列で配置されている。ケーブル結束具モジュール171a、171b、171cを列で配置した後、ケーブル結束具モジュール171a、171b、171cはストラップ185を用いて一緒に結束され得る。代替で、ケーブル結束具モジュール171a、171b、171cはU字形のファスナを用いて一緒に結束される。図20に示されているように、ケーブル結束具モジュール171の各々は、凹部181および凸部179を通じて延びる2つの貫通孔187、189を有する。ケーブル結束具モジュール171a、171b、171cが図21に示されているような列で配置されるとき、ケーブル結束具モジュールの貫通孔は並べられる。続いて、U字形のファスナ(図示せず)が、ストラップ185の代わりに、並べられた貫通孔187、189を通じて延び、ケーブル結束具モジュール171a、171b、171cを一緒に保持できる。
【００８３】
図20および図21に示されているように、ケーブル結束具本体173、175は、ケーブル結束具モジュール171a、171b、171cの列において異なるケーブル結束具モジュール171の隣り合うケーブル結束具本体173、175を相互に結合することを可能にする蟻継ぎ輪郭191、193が設けられている。
【００８４】
図21に示されているようなケーブル結束具2097の実施形態は、電力ケーブルを自由に吊り下げて結合するのに特に適している。したがって、図21に示されているようなケーブル結束具2097の実施形態は、図16に示されている後で設置されるケーブル結束具97aとして好ましくは使用される。それぞれのモジュール171a、171b、171cの嵌まり合うケーブル本体173、175がそれぞれのU字形のファスナによって個々に一緒に結束され、それぞれのモジュール171a、171b、171cがストラップ185を用いて一緒に結束される場合、単芯電力ケーブルを様々な相互距離において相互に自由に吊り下げて結合するためにケーブル結束具2097を使用することが可能である。
【００８５】
本明細書において先に記載されているように、スペーサリング(図示せず)などのスペーサが、嵌まり合うケーブル結束具本体173、175の間の距離を定め、それによって、電力ケーブルが収容部177に配置され、嵌まり合うケーブル結束具本体173、175の一方が他方に向けて押されるときに、ケーブル結束具モジュール171a、171b、171cが電力ケーブルにおいて締め付けているのか、それとも電力ケーブルを緩く保持しているだけなのかを定めるために、嵌まり合うケーブル結束具本体173、175の間で凸部179の周りに配置されてもよい。図21に示されているケーブル結束具2097において、外側のケーブル結束具モジュール171aおよび171cのケーブル結束具本体173、175の間に、外側のケーブル結束具モジュール171aおよび171cが、そこに配置される電力ケーブルを緩く保持するようにスペーサを設けることによって、ならびに、中間のケーブル結束具モジュール171bのケーブル結束具本体173、175の間のスペーサを省略することによって、中間のケーブル結束具モジュール171bは中間の電力ケーブルにおいて締め付けられる。代替で、中間のケーブル結束具モジュール171bのケーブル結束具本体173、175の間でケーブル結束具2097にスペーサを設けることで、および、中間のケーブル結束具171bによって保持され、長手方向においての中間のケーブル結束具モジュール171bに対する中間の電力ケーブルの並進を妨げる一方で中間のケーブル結束具モジュール171bに対して回転するように許容される中間の電力ケーブルにおいて締め付けられる中間のケーブル結束具モジュール171bのケーブル結束具本体173、175の間に締め付けブッシュを配置することで、図13Aおよび図13Bに示されたあらかじめ設置されるケーブル結束具95と同じ機能性を提供するケーブル結束具2097が提供される。
【００８６】
図22および図23では、後で設置されるケーブル結束具97の代替の実施形態3097が示されている。ケーブル結束具3097は、示された実施形態では3本の単芯電力ケーブルである固定された数の電力ケーブルを並列に相互に結合するように設計された固定数ケーブル結束具である。ケーブル結束具3097は単一のケーブル結束具本体191を備える。結束具本体191は3つのケーブル収容部193、195、197を備える。図23に示されているように、ケーブル収容部193、195、197は、電力ケーブルの中心長手方向軸に対して横断して電力ケーブルを受け入れるように構成されている。ケーブル結束具3097は、電力ケーブルを収容部193、195、197において係止するためのストリップ199によって具現化された係止部材を備える。任意選択のストリップ201が、ケーブル結束具本体191に強度を加えるために、係止ストリップ199の反対のケーブル結束具本体191の側に設けられ得る。ケーブル結束具3097およびストリップ199(201)は、ケーブル結束具3097の両側における貫通孔を通じて延び、続いて係止ストリップ199へと捩じ込まれ得るファスナ(図示せず)を用いて一緒にされ得る。(標準的な)ファスナに代えて、クイックファスナが使用されてもよい。図21および図23に示されているようなケーブル結束具3097の実施形態は、地上において自由に敷設する電力ケーブルを結合するのに特に適している。したがって、図21および図23に示されているようなケーブル結束具3097の実施形態は、図16に示されている後で設置されるケーブル結束具97bとして好ましくは使用される。
【００８７】
図24および図33〜図40では、後で設置されるケーブル結束具97の代替の実施形態4097が示されている。ケーブル結束具4097は、示された実施形態では3本の単芯電力ケーブル211a、211b、211cである固定された数の電力ケーブルを並列に相互に結合するように設計された固定数ケーブル結束具である。ケーブル結束具4097は単一のケーブル結束具本体203を備える。ケーブル結束具本体203は3つのケーブル収容部205、207、209を備える。ケーブル収容部205、207、209は、電力ケーブル211a、211b、211cの中心長手方向軸に対して横断して電力ケーブルを受け入れるように構成されている。ケーブル結束具4097は、電力ケーブルを収容部205、207、209において係止するためのストラップ2013によって具現化された係止部材を備える。図24に示されているようなケーブル結束具4097の実施形態は、空中で(例えば、変圧器から)自由に吊り下がる、または、地上で自由に敷設する電力ケーブルを結合するのに適する。空中で自由に吊り下げるときにケーブル結束具4097が下向きに滑るのを防止するために、追加のネジ孔2036が、ケーブル結束具を引っ掛けるためにケーブル収容部205、207と207、209との間に設けられ得る。したがって、図24および図33〜図40に示されているようなケーブル結束具4097の実施形態は、図16に示されている後で設置されるケーブル結束具97aまたは後で設置されるケーブル結束具97bとして好ましくは使用される。
【００８８】
ケーブル結束具本体203は細長い主本体部品2031を備え、2つの分割壁2032が、主本体部品2031の外側端2033からある距離において、主本体部品2031の一方の側から延びている。ケーブル収容部207が、隣接する2つの分割壁2032と、分割壁2032同士の間で延びる主本体部品2031の一部とによって形成されている。2つの他のケーブル収容部205、209は、前記分割壁2032のうちの一方と、主本体部品2031の隣接する外側端とによって各々形成される。主本体部品2031は、分割壁2032に隣接する斜めの壁部分2034a、2034bが設けられている。主本体部品2031の外側壁部分2034bは、主本体部品2031の上面とおおよそ60度の角度で延び得る。内側壁部分2034aは、主本体部品の上面とおおよそ30度の角度で延び得る。外側壁部分2034bに隣接する分割壁2032の外側壁部分2039は、反対方向において主本体部品の上面と60度の角度で延び得る。壁部分2034a、2034b、および2039はケーブル211a、211b、211cと係合する。壁部分2034と壁部分2039との間の角度はおおよそ120度(好ましくは、100度から150度の間で、最も好ましくはおおよそ132度)である。同様に、分割壁2032同士の間での主本体の両方の壁部分2034aの間の角度もおおよそ120度(好ましくは、100度から150度の間で、最も好ましくはおおよそ132度)である。壁部分2034a、2034b、および2039は、ケーブル211a、211b、211cの滑りを防止するために、輪郭形成された表面または粗い表面が好ましくは設けられる。
【００８９】
壁部分2034a、2034b、および2039の表面と、ケーブル表面と係合し得る分割壁2032の内面などの分割壁の他の部分とは、曲がりにおいて使用されるときにケーブル結束具本体がケーブルを傷めないように、図37において示されているように、好ましくは凸状の形を有する。
【００９０】
2つの隣接する壁部分2034aの外側端同士間の距離(分割壁同士の間の距離でもある)は、好ましくは、ケーブル211a、211b、211cの直径とおおよそ同じかまたはその直径より若干大きい。同様に、隣接する壁部分2034bおよび2039の外側端同士の間の距離は、好ましくは、ケーブル211a、211b、211cの直径とおおよそ同じである。例として、36mmから54mmの間の直径を有する単芯電力ケーブルを収容するために、分割壁2032同士の間の距離は少なくとも54mmとなるべきである。典型的には、単芯電力ケーブルは36mmから54mmの間の直径を有する。より小さい直径のケーブルが使用される場合、埋め合わせ部品203aが、図38に示されているように、ケーブル収容部207に挿入されてもよい。埋め合わせ部品203aは、ケーブル収容部207と実質的に同じ形を有する二次的なより小さいケーブル収容部207aを有し、ケーブル収容部207aはケーブル収容部207に挿入される。埋め合わせ部品203aは、図に示された実施形態ではフランジとしての位置決め手段2031aが設けられ、位置決め手段2031aは、システムが装着されると埋め合わせ部品203aを所定位置で保持する。
【００９１】
係止部材は、電力ケーブル211a、211b、211cがケーブル収容部205、207、209に存在する間に主本体部品2031および分割壁2032の周りに巻き付けられるストラップ2013である。ケーブル結束具本体203の主本体部品2031の上側は、ストラップ2013の横移動を防止するために、ストラップ案内手段2035が設けられており、ストラップ案内手段2035は、図24に示されているように、直立する側方の隆条部2035の形態であり得るか、または、図33〜図40に示されているように、主本体部品の上面の側方における4つの外側端の近くでの別々の凸部2035の形態であり得る。
【００９２】
図39および図49に示されているようなストラップホルダ2037が中央のケーブル収容部207の内部に設けられてもよく、ストラップホルダ2037は、図40に示されているように、前記ストラップ2013をケーブル収容部207の内部において電力ケーブル211bの両側で保持するように配置され、それによって前記電力ケーブル211bとしっかりと係合し、電力ケーブル211bをケーブル結束具本体203の主本体部品2031に当てるように引っ張る。前記ストラップホルダ2037は、例えばケーブル結束具本体における貫通孔を延びるボルトによって形成され、ケーブル収容部207の内部で並列に延び、1つが電力ケーブル211bの各々の側にある、例えば棒材の形態とでき、ストラップ2013は、初めに、電力ケーブル211bの一方の側において前記ストラップホルダと主本体部品2031との間の空間を通り、次に、電力ケーブル211bを周り、次に、電力ケーブル211bの他方の側において前記ストラップホルダと主本体部品2031との間の空間を通って、ケーブル収容部207の内部でジグザグの様態で案内される。
【００９３】
図33において見て取れるように、脚部2038がストラップ2013の各々の側において分割壁2032から下へと延び、脚部2038は、図39および図40において見て取れるように、ケーブル結束具本体203の下方の表面にケーブル211bが接触するのを防止するために十分に高くなっている。同様に、埋め合わせ部品203aは脚部2038aが設けられている。
【００９４】
ストラップ2013は、素早く閉じるバックル2014を用いて閉じられて係止される。ストラップのLC2強度は、ケーブルシステムにおける短絡電流によって引き起こされ得るEM力に耐えるために、ケーブルシステムの長さの各々1mについて、好ましくは13kNより大きく、より好ましくは20kNより大きく、より好ましくは40kNより大きい。好ましくは、ストラップは、このような電流によって引き起こされる機械的衝撃を吸収し、それによってケーブルへの損傷を防止できるように、若干弾性的な材料から作られる。
【００９５】
図25では、ケーブルリール51において並列に複数の巻回で巻き付けられた図7〜図11の単芯延長電力ケーブル65、67、69のセットとケーブルリールのセットとを、電気的に接続される2つの電気構成要素および/または電気設備の間の経路に沿って引っ張るためのケーブル引張装置215が示されている。引張装置215は、並列に巻き付けられた延長電力ケーブルのセット77の一端217に取り付けられるように構成されている。図25では、セット77の端217が示されている。具体的には、図13Aおよび図13Bに示されている実施形態の3つのあらかじめ設置されたケーブル結束具95が配置されている電力ケーブル65、67、69の長さの一部が示されている。図25において示されている電力ケーブル65、67、69の長さの一部に配置された3つのあらかじめ設置されたケーブル結束具95の数は、単なる例である。電力ケーブル65、67、69のそれぞれの端は、それぞれの電気コネクタ219、221、223が各々設けられることによって、電気接続のために準備されている。
【００９６】
ケーブル引張装置215は、ケーブルストッキング219を用いて電力ケーブルのうちの中間のもの67に取り付けられるように構成されているケーブル取付部220が設けられている。電力ケーブルのうちの外側のもの65、69の端の各々は、例えば可撓管225、227によって具現化される、それぞれのケーブル係合部によって係合される。可撓管225、227は、中間の電力ケーブル67の両側において並列の関係で中間の電力ケーブル67に沿って配置されている。可撓管225、227が、電気コネクタ219、221が設けられた電力ケーブルの端と係合する一方で、中間の電力ケーブル67の長さの一部に沿っての中間の電力ケーブル67に対する外側の電力ケーブル65、69の端の前後への並進を許容するように、電気コネクタ219、223は可撓管225、227においてスライド可能に配置されている。並進の許容は、湾曲した経路に沿ってのそれぞれの電力ケーブル65、67、69の経路の長さにおける差異を補うことを可能にする。このような差異の発生は、図14および図15を参照して本明細書で先に説明されている。
【００９７】
中間の電力ケーブル67の電気コネクタ221に最も近い可撓管225、227の端は、ヨーク231によってさらに保持される管ホルダ229によって保持される。可撓管225、227と、可撓管225、227に最も近いあらかじめ設置されたケーブルコネクタ95と、ヨーク231とは、ケーブル引張装置215のスリーブ233によって包囲される。ヨーク231は、スリーブ233を電気コネクタ221に沿って案内し、電気コネクタ221に沿って延びるスリーブの一部のためのフレームとして供する。引っ張りケーブル220は、ケーブルストッキング219から電気コネクタ221に沿って延びる。第1の引っ張りケーブル案内部235が電気コネクタ221に配置され、第2の引っ張りケーブル案内部237がヨーク231に配置されている。第1の引っ張りケーブル案内部235および第2の引っ張りケーブル案内部237は、引っ張りケーブル220を電気コネクタ221に沿ってヨーク231を通じて案内する。
【００９８】
また、可撓管225、227におけるそれぞれの電気コネクタ219、223の傾きを防止し、延いては可及的な弛みを防止するために、ほとんど可撓管の直径の直径を有するそれぞれの環部品239、241が、電気コネクタ219、223に配置されてもよい。代替で、環部品の代わりに、可撓管225、227に最も近いあらかじめ設置されたケーブル結束具95と電気コネクタ219、223との間で延びるそれぞれのコイルバネが、可撓管225、227に配置されてもよく、外側の電力ケーブル65、69はコイルバネを通じて延びる。任意選択で、第2のバネ係合部材が、係合された電力ケーブルの端におけるコネクタまたは終端とバネの他方の側との間で固定されるように構成される。
【００９９】
図26に示されているように、このようなコイルバネ243は有利にボール245を伴い、ボール245は、スペーサがボール245同士の間でコイルに配置される状態で配置されるスペーサを伴って、そのコイルに配置される。図26に示されている実施形態では、スペーサはより小さいボール247によって具現化されている。より大きいボール245は外側の電力ケーブル65、67の外面と可撓管の内面との間の空間を埋め、それによって、可撓管225、227におけるそれぞれの電気コネクタ219、223の傾くのを防止する。より小さいボール247は、コイルの長さに沿って、より大きいボール245の場所を定めている。より大きいボール245の場所は、コイルバネ243が圧縮されるときに隣り合うコイルのより大きいボール245が接触しないように定められている。
【０１００】
図27は、経路に沿って引っ張られ、一連の曲げ案内管249a、249b、249cを用いて経路における湾曲に沿って案内される、図7〜図11において示されているような本発明によるシステムの単芯電力ケーブルのセット77を概略的な上面図で示している。曲げ案内管249a、249b、249cの各々は、両端において漏斗が設けられている。曲げ案内管249a、249b、249cの各々は、電力ケーブルのセット77が引っ張られるのに沿う地面に係留される。図28は、曲げ案内管249cのうちの1つにおける単芯電力ケーブルのセット77の方向付けを示す、図27の単芯電力ケーブルのセット77の断面図を示している。図28に示されているように、単芯電力ケーブルのセット77は、地面に対する曲げ案内管249において傾けられた方向付けを取ることができ、それによって、それぞれの湾曲に沿ってのそれぞれの電力ケーブル65、67、69の経路の長さにおける差異を縮小する。
【０１０１】
図29および図30では、ケーブルリール51が、単芯電力ケーブルのセット77としてケーブルリール51において並列に数回の巻回で巻き付けられている3本の単芯電力ケーブル65、67、69で満たされて示されている。図示されているように、単芯電力ケーブル65、67、69は、図25によれば、それらの端において、ケーブル引張装置215において収容されるコネクタ219、221、223が設けられている。電力ケーブル65、67、69は、あらかじめ設置されたケーブル結束具95を用いて、それらの長さに沿って相互に結合されている。図示されているように、それぞれのあらかじめ設置されたケーブル結束具95a、95b、95cは、隣り合うあらかじめ設置されたケーブル結束具95a/95b、95b/95cが電力ケーブル65、67、69の長手方向においてずれ距離OD1、OD2にわたって相互にずれるように、示された長さに沿って分配されている。隣り合うケーブル結合具95の間の電力ケーブル65、67、69の長手方向における相互のずれは、隣接する巻回のあらかじめ設置されたケーブル結束具95が重ならないようになっており、つまり、接触しないようになっている。接触しないようにするために、隣接するケーブル結束具95の間のずれ距離は、電力ケーブルの長さに沿って異なってもよい。例えば、図30では、ずれ距離OD1はずれ距離OD2より大きい。
【０１０２】
本発明による方法およびシステムの実施形態を示す図9〜図11では、3本の単芯電力ケーブルの単一のセットが設置されている。単芯電力ケーブルの複数のセットの設置が必要とされる場合、そのように行ういくつかの代替の方式がある。
【０１０３】
例えば3本の単芯電力ケーブルの4つのセットといった、単芯電力ケーブルの複数のセットを設置する第1の方式は、それぞれの車両に各々が配置された4つのケーブルリール51を現場へ運び、図9〜図11を参照して本明細書で先に記載されているように、単芯電力ケーブルの各々のセットを地面に別々に配置することである。
【０１０４】
単芯電力ケーブルの複数のセットを設置する第2の方式が図31に示されている。図31では、4つのケーブルリール51a、51b、51c、51dのうちのそれぞれ1つに各々が巻き付けられた3本の単芯電力ケーブルの4つのセット77a、77b、77c、77dが現場へと運ばれる。4つのケーブルリール51a、51b、51c、51dの各々は単一の車両251のスピンドルに配置されている。車両251は、例えばトラクタ(図示せず)を用いて、経路に沿って移動させられる間に経路に沿って引っ張られ、4つのケーブルリール51a、51b、51c、51dは、電力ケーブルの4つのセット77a、77b、77c、77dが地上に同時に配置されるように巻き解される。ケーブルリール51a、51b、51c、51dを同時に巻き解す代わりに、ケーブルリール51a、51b、51c、51dのうちの2つもしくは3つを同時に巻き解すこと、または、1つだけを巻き解することも、可能である。
【０１０５】
単芯電力ケーブルのセットとして3つのケーブルリールのうちのそれぞれ1つにおいて並列に複数の巻回で各々巻き付けられた、例えば3本の単芯電力ケーブルの3つのセットといった、単芯電力ケーブルの複数のセットを設置する第3の方式は、単一の自己推進車両を利用することであり、単芯電力ケーブルのセットは、図31を参照して本明細書おいて先に記載されているように、電力ケーブルのそれぞれのセットを同時に巻き解す間に、3つのケーブルリールが配置されている自己推進車両を経路に沿って移動させることで、地上において別々または好ましくは同時に配置され得る。
【０１０６】
図9〜図11を参照して記載されているように単芯電力ケーブルの単一のセットを地上に配置するために、および、単芯電力ケーブルの複数のセットを地上に配置する先に記載された代替の方式の各々に従って単芯電力ケーブルの複数のセットを地上に配置するために、以下のことが留意されている。車両にケーブルリールを配置し、電力ケーブルのセットを巻き解す間にこの車両を経路に沿って移動させる代わりに、ケーブルリールを静止フレームに配置し、単芯電力ケーブルのセットを経路に沿って引っ張ることによってケーブルリールを巻き解すことで単芯電力ケーブルのセットを経路に沿って配置することが、代替で可能である。例として、図32では、単芯電力ケーブルのそれぞれのセット77a、77b、77c、77dで各々が満たされている4つのケーブルリール51a、51b、51c、51dが配置されているスピンドル255を伴う静止フレーム253が示されている。図32に示されているように、4つのケーブルリール51a、51b、51c、51dのうちの1つは、ケーブルリール51aに巻き付けられた単芯電力ケーブルのセット77aを経路に沿って引っ張ることで巻き解されている。具体的には、電力ケーブルのセット77aは、電力ケーブルのセット77aを非直線的な経路に沿って配置する間に電力ケーブルのセット77aの異なるケーブル同士の間で起こる長さの差異に対処するために、電力ケーブルのセット77aの端に配置され得るケーブル引張装置215aを介して引っ張られてもよい。
【０１０７】
図1〜図32では、3本の単芯電力ケーブルのセット77が示されている。単芯電力ケーブルのセットが2本または4本以上の単芯電力ケーブルを有することが同じく可能である。本発明によるシステムは、単芯電力ケーブルのセットとしてケーブルリールにおいて並列に数回の巻回で巻き付けられた少なくとも2本の単芯電力ケーブルで満たされる少なくとも1つのケーブルリールを備える。
【０１０８】
図9〜図15は、単芯電力ケーブルのセットとしてケーブルリールにおいて並列に数回の巻回で巻き付けられた少なくとも2本の単芯電力ケーブルが、あらかじめ設置されたケーブル結束具を用いて電力ケーブルの長さに沿って相互に結合されている本発明によるシステムの実施形態に関する。代替で、単芯電力ケーブルのセットとしてケーブルリールにおいて並列に数回の巻回で巻き付けられた少なくとも2本の単芯電力ケーブルは、あらかじめ設置されたケーブル結束具を用いて電力ケーブルの長さの一部に沿って相互に結合される。さらに代替の実施形態では、単芯電力ケーブルのセットとしてケーブルリールにおいて並列に数回の巻回で巻き付けられた少なくとも2本の単芯電力ケーブルは、あらかじめ設置されたケーブル結束具を用いて相互に結合されない。
【０１０９】
本発明の原理が特定の実施形態を参照して先に記述されてきたが、この記載は単に例として提供されており、添付の請求項によって定められている保護の範囲への限定とはならないことは、理解されなければならなない。
【符号の説明】
【０１１０】
1  電力(分配)網
3  発電プラント
5、7、9、11、12  変電所
13  居住用建物
15  産業用建物
17  風力発電場
19  高電圧電力配線
21  中間電圧ケーブル
23  中電圧ケーブル
24  低電圧ケーブル
25  変圧器
27  失陥した開閉装置建物
29  中電圧ケーブル
31  移動式緊急開閉装置コンテナ
33、35、37  ケーブルリール
39、41、43  単芯中電圧電力ケーブル
45  地面
47  システム
49  一貫輸送コンテナ
51  延長電力ケーブルリール
51a、51b、51c、51d  ケーブルリール
53  自己推進車両
55  軌道
57、59、61  コネクタ電力ケーブルリール
63  カート
65、67、69  単芯延長電力ケーブル
65a、67a、69a  単芯
67b  外装
71、73、75  単芯コネクタ電力ケーブル
77  延長電力ケーブルのセット
77a、77b、77c、77d  セット
79  終端、コネクタ
81、83、85  電気コネクタ
87、89、91  電気コネクタ
93  終端、コネクタ
95、95a、95b、95c  あらかじめ設置されたケーブル結束具
97、97a、97b  後で設置されるケーブル結束具
99、101、103  ケーブル収容部
99a、99b、101a、101b、103a、103b  ケーブル収容部
105、107  ケーブル結束具本体
105a、107a  長い端壁
105b、107b  短い端壁
113  第1のケーブル結合器
115  締め付けブッシュ
115a、115b  半体
117  ストラップ
119  締め付けブッシュ収容部
119a、119b  締め付けブッシュ収容部
121  周囲溝
123  周囲壁
125  周囲溝
125、127  第2のケーブル結合器
129  入口錐面
131  喉部
132  根角ボルト
134  隆起した頭部
133、135  ケーブル結束具本体
137a、137b、139a、139b、141a、141b  ケーブル収容部
143  ヒンジ
145  回転の軸
147a、147b  クイックファスナ
151、151a、151b、151c  ケーブル結束具モジュール
153、155  ケーブル結束具本体
157  ケーブル収容部
157a、157b  ケーブル収容部
159a、159b、161a、161b  側壁
163  リップ
165  リブ
169  ストラップ
171a、171b、171c  ケーブル結束具モジュール
173、175  ケーブル結束具本体
177、177a、177b  ケーブル収容部
179  凸部
181  凹部
183  リブ
185  ストラップ
187、189  貫通孔
191  ケーブル結束具本体
193、195、197  ケーブル収容部
191、193  蟻継ぎ輪郭
199  ストリップ
201  ストリップ
203  ケーブル結束具本体
203a  埋め合わせ部品
205、207、209  ケーブル収容部
207a  より小さいケーブル収容部
211a、211b、211c  単芯電力ケーブル
215  ケーブル引張装置
217  一端
219  電気コネクタ、ケーブルストッキング
220  ケーブル取付部、引っ張りケーブル
221、223  電気コネクタ
225、227  可撓管
229  管ホルダ
231  ヨーク
233  スリーブ
235  第1の引っ張りケーブル案内部
237  第2の引っ張りケーブル案内部
243  コイルバネ
245  より大きいボール
247  スペーサ、より小さいボール
249a、249b、249c  曲げ案内管
251  車両
253  静止フレーム
255  スピンドル
1097、2097、3097、4097  モジュール式ケーブル結束具
2013  ストラップ
2014  バックル
2031  主本体部品
2031a  位置決め手段
2032  分割壁
2033  外側端
2034a  斜めの壁部分、内側壁部分
2034b  外側壁部分
2035  ストラップ案内手段、直立する側方の隆条部、凸部
2036  ネジ孔
2037  ストラップホルダ
2038  脚部
2038a  脚部
2039  外側壁部分
d  距離
D  直径
l  線
la65、la67、la69  中心長手方向軸
la115  中心長手方向軸
OD、OD1、OD2  ずれ距離
α、β  中心角
【図１】
2020520628.tif 000003
【図２】
2020520628.tif 000004
【図３】
2020520628.tif 000005
【図４】
2020520628.tif 000006
【図５】
2020520628.tif 000007
【図６】
2020520628.tif 000008
【図７】
2020520628.tif 000009
【図８】
2020520628.tif 000010
【図９】
2020520628.tif 000011
【図１０】
2020520628.tif 000012
【図１１】
2020520628.tif 000013
【図１２】
2020520628.tif 000014
【図１３Ａ】
2020520628.tif 000015
【図１３Ｂ】
2020520628.tif 000016
【図１４】
2020520628.tif 000017
【図１５】
2020520628.tif 000018
【図１６】
2020520628.tif 000019
【図１７Ａ】
2020520628.tif 000020
【図１７Ｂ】
2020520628.tif 000021
【図１８】
2020520628.tif 000022
【図１９】
2020520628.tif 000023
【図２０】
2020520628.tif 000024
【図２１】
2020520628.tif 000025
【図２２】
2020520628.tif 000026
【図２３】
2020520628.tif 000027
【図２４】
2020520628.tif 000028
【図２５】
2020520628.tif 000029
【図２６】
2020520628.tif 000030
【図２７】
2020520628.tif 000031
【図２８】
2020520628.tif 000032
【図２９】
2020520628.tif 000033
【図３０】
2020520628.tif 000034
【図３１】
2020520628.tif 000035
【図３２】
2020520628.tif 000036
【図３３】
2020520628.tif 000037
【図３４】
2020520628.tif 000038
【図３５】
2020520628.tif 000039
【図３６】
2020520628.tif 000040
【図３７】
2020520628.tif 000041
【図３８】
2020520628.tif 000042
【図３９】
2020520628.tif 000043
【図４０】
2020520628.tif 000044
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
多数の収容部が設けられているケーブル結束具本体を備える、多数のケーブルを並列で相互に結合するためのケーブル結束具であって、各々の収容部は、前記ケーブルのうちの1本と、前記ケーブルを前記収容部において係止するように構成される係止部材とを受け入れるように構成され、
前記ケーブル結束具本体は細長い主本体部品を備え、
少なくとも2つの分割壁が、前記主本体部品の外側端からある距離において、前記主本体部品に対して実質的に垂直に、前記主本体部品の一方の側から延び、
前記ケーブル収容部のうちの少なくとも1つは、前記少なくとも2つの分割壁の隣接する対と、分割壁の前記対の間で延びる前記主本体部品の部分とによって形成され、
前記ケーブル収容部のうちの2つは、前記少なくとも2つの分割壁のうちの1つと、前記主本体部品の隣接する外端とによって各々形成される、ケーブル結束具。
【請求項２】
前記主本体部品は、前記係止部材が前記収容部において前記ケーブルを係止しているときに前記ケーブルが所定の位置で固定されるように、前記分割壁に隣接する斜めまたは湾曲の壁部品が設けられる、請求項1に記載のケーブル結束具。
【請求項３】
前記係止部材は、ケーブルが前記ケーブル収容部の各々に存在する間に前記主本体部品および前記分割壁の周りに巻き付けられるストラップである、請求項1または2に記載のケーブル結束具。
【請求項４】
前記ケーブル結束具本体の前記主本体部品の上側は、前記ストラップの横移動を防止するために、ストラップ案内手段が設けられる、請求項1から3のいずれか一項に記載のケーブル結束具。
【請求項５】
前記ストラップ案内手段は直立する側方の隆条部の形態である、請求項4に記載のケーブル結束具。
【請求項６】
例えば棒材の形態であり、例えばボルトによって形成されるストラップホルダが、前記少なくとも2つの分割壁の各々の隣接する対と、分割壁の前記対の間で延びる前記主本体部品の部分とによって形成される前記ケーブル収容部の内部に設けられ、前記ストラップホルダは、前記ストラップを前記ケーブルのいずれかの側において前記ケーブル収容部の内部で保持するように配置され、それによって前記ケーブルとしっかりと係合し、前記ケーブルを前記主本体部品に当てるように引っ張る、請求項1から5のいずれか一項に記載のケーブル結束具。
【請求項７】
前記ストラップホルダは、例えばボルトによって形成され、前記ケーブル収容部の内部で並列に延び、1つが前記ケーブルの各々の側にある棒材の形態であり、前記ストラップは、初めに、前記ケーブルの一方の側において前記ストラップホルダと前記主本体部品との間の空間を通り、次に、前記ケーブルを周り、次に、前記ケーブルの他方の側において前記ストラップホルダと前記主本体部品との間の空間を通って、前記ケーブル収容部の内部でジグザグの様態で案内される、請求項6に記載のケーブル結束具。
【請求項８】
前記ケーブル結束具本体は、3本のケーブルを保持するために3つの収容部を備える、請求項1から7のいずれか一項に記載のケーブル結束具。
【請求項９】
前記係止部材がストラップである、請求項1から8のいずれか一項に記載のケーブル結束具。
【請求項１０】
前記ストラップは、素早く閉じるバックルを用いて閉じられて係止される、請求項9に記載のケーブル結束具。
【請求項１１】
ヒートンが前記ケーブル結束具を引っ掛けるために前記ケーブル収容部同士の間に設けられる、請求項1から10のいずれか一項に記載のケーブル結束具。
【請求項１２】
前記ケーブル結束具本体はプラスチック材料から作られる、請求項1から11のいずれか一項に記載のケーブル結束具。
【国際調査報告】
2020520628.tif 000045
2020520628.tif 000046
2020520628.tif 000047